(57)【要約】【課題】基板への内蔵が容易であり且つ高ＥＳＲ化が図られた積層コンデンサを提供すること。【解決手段】第一端子電極３は、第一側面２ｃに配置され且つ第一内部導体の引出部に接続される電極部分３ｂと、第一主面２ａに配置され且つ素体２の幅方向に延びる電極部分３ａと、を有している。第二端子電極４は、第一側面２ｃに配置され且つ第二内部導体の引出部に接続される電極部分４ｂと、第一主面２ａに配置され且つ素体２の幅方向に延びる電極部分４ａと、を有している。第一外部導体７は、第三側面２ｅに配置され且つ第一内部電極の引出部と第一内部導体の引出部とに接続されている。第二外部導体８は、第四側面２ｆに配置され且つ第二内部電極の引出部と第二内部導体の引出部とに接続されている。【選択図】図１
2014220379.tif 000002
【特許請求の範囲】
【請求項１】
長手方向の長さ及び幅方向の長さに比して高さ方向の長さが小さい略直方体形状を呈すると共に、前記高さ方向で互いに対向する第一及び第二主面と、前記第一及び第二主面を連結するように前記高さ方向に延び且つ前記幅方向で互いに対向する第一及び第二側面と、前記第一及び第二主面を連結するように前記高さ方向に延び且つ前記長手方向で互いに対向する第三及び第四側面と、を有する素体と、
前記高さ方向で互いに対向するように前記素体内に配置された第一及び第二内部電極と、
互いに離間するように前記素体内に配置された第一及び第二内部導体と、
前記素体の外表面に配置され、前記第一内部導体と接続される第一端子電極と、
前記素体の外表面に配置され、前記第二内部導体と接続される第二端子電極と、
前記素体の外表面に配置され、前記第一内部導体と前記第一内部電極とに接続される第一外部導体と、
前記素体の外表面に配置され、前記第二内部導体と前記第二内部電極とに接続される第二外部導体と、を備え、
前記第一内部電極は、第一主電極部と、前記第一主電極部から延びて前記第三側面に露出する第一引出部と、を有し、
前記第二内部電極は、前記第一主電極部と前記高さ方向で対向する第二主電極部と、前記第二主電極部から延びて前記第四側面に露出する第二引出部と、を有し、
前記第一内部導体は、前記第一側面に露出する第三引出部と、前記第三側面に露出する第四引出部と、を有し、
前記第二内部導体は、前記第一又は第二側面に露出する第五引出部と、前記第四側面に露出する第六引出部と、を有し、
前記第一端子電極は、前記第一側面に配置され且つ前記第一内部導体の前記第三引出部に接続される電極部分と、前記第一主面に配置され且つ前記第一側面側から前記第二側面側に向かって延びる電極部分と、を有し、
前記第二端子電極は、前記第一又は第二側面に配置され且つ前記第二内部導体の前記第五引出部に接続される電極部分と、前記第一又は第二主面に配置され且つ前記第五引出部が露出する前記側面側から該側面に対向する側面側に向かって延びる電極部分と、を有し、
前記第一外部導体は、前記第三側面に配置され且つ前記第一内部電極の前記第一引出部と前記第一内部導体の前記第四引出部とに接続され、
前記第二外部導体は、前記第四側面に配置され且つ前記第二内部電極の前記第二引出部と前記第二内部導体の前記第六引出部とに接続されていることを特徴とする積層コンデンサ。
【請求項２】
前記第二端子電極の、前記第五引出部が露出する前記側面側から該側面に対向する前記側面側に向かって延びる前記電極部分は、前記第一主面に配置されていることを特徴とする請求項１に記載の積層コンデンサ。
【請求項３】
前記第二端子電極の、前記第五引出部が露出する前記側面側から該側面に対向する前記側面側に向かって延びる前記電極部分は、前記第二主面に配置されていることを特徴とする請求項１に記載の積層コンデンサ。
【請求項４】
前記第二端子電極の、前記第五引出部に接続される前記電極部分は、前記第一側面に配置されていることを特徴とする請求項１〜３のいずれか一項に記載の積層コンデンサ。
【請求項５】
前記第一端子電極は、前記第一側面に配置される前記電極部分の前記長手方向での幅が、前記第一主面に配置される前記電極部分の前記長手方向での幅よりも小さく、
前記第二端子電極は、前記第一又は第二側面に配置される前記電極部分の前記長手方向での幅が、前記第一又は第二主面に配置される前記電極部分の前記長手方向での幅よりも小さいことを特徴とする請求項１〜４のいずれか一項に記載の積層コンデンサ。
【請求項６】
長手方向の長さ及び幅方向の長さに比して高さ方向の長さが小さい略直方体形状を呈すると共に、前記高さ方向で互いに対向する第一及び第二主面と、前記第一及び第二主面を連結するように前記高さ方向に延び且つ前記幅方向で互いに対向する第一及び第二側面と、前記第一及び第二主面を連結するように前記高さ方向に延び且つ前記長手方向で互いに対向する第三及び第四側面と、を有する素体と、
前記高さ方向で互いに対向するように前記素体内に配置された第一及び第二内部電極と、
互いに離間するように前記素体内に配置された第一及び第二内部導体と、
前記素体の外表面に配置され、前記第一内部導体と接続される第一端子電極と、
前記素体の外表面に配置され、前記第二内部導体と接続される第二端子電極と、
前記素体の外表面に配置され、前記第一内部導体と接続される第三端子電極と、
前記素体の外表面に配置され、前記第二内部導体と接続される第四端子電極と、
前記素体の外表面に配置され、前記第一内部導体と前記第一内部電極とに接続される第一外部導体と、
前記素体の外表面に配置され、前記第二内部導体と前記第二内部電極とに接続される第二外部導体と、を備え、
前記第一内部電極は、第一主電極部と、前記第一主電極部から延びて前記第三側面に露出する第一引出部と、を有し、
前記第二内部電極は、前記第一主電極部と前記高さ方向で対向する第二主電極部と、前記第二主電極部から延びて前記第四側面に露出する第二引出部と、を有し、
前記第一内部導体は、前記第一側面に露出する第三引出部と、前記第二側面に露出する第四引出部と、前記第三側面に露出する第五引出部と、を有し、
前記第二内部導体は、前記第一側面に露出する第六引出部と、前記第二側面に露出する第七引出部と、前記第四側面に露出する第八引出部と、を有し、
前記第一端子電極は、前記第一側面に配置され且つ前記第一内部導体の前記第三引出部に接続される電極部分と、前記第一主面に配置され且つ前記第一側面側から前記第二側面側に向かって延びる電極部分と、を有し、
前記第二端子電極は、前記第一側面に配置され且つ前記第二内部導体の前記第六引出部に接続される電極部分と、前記第一主面に配置され且つ前記第一側面側から前記第二側面側に向かって延びる電極部分と、を有し、
前記第三端子電極は、前記第二側面に配置され且つ前記第一内部導体の前記第四引出部に接続される電極部分と、前記第一主面に配置され且つ前記第二側面側から前記第一側面側に向かって延びる電極部分と、を有し、
前記第四端子電極は、前記第二側面に配置され且つ前記第二内部導体の前記第七引出部に接続される電極部分と、前記第一主面に配置され且つ前記第二側面側から前記第一側面側に向かって延びる電極部分と、を有し、
前記第一外部導体は、前記第三側面に配置され且つ前記第一内部電極の前記第一引出部と前記第一内部導体の前記第五引出部とに接続され、
前記第二外部導体は、前記第四側面に配置され且つ前記第二内部電極の前記第二引出部と前記第二内部導体の前記第八引出部に接続されていることを特徴とする積層コンデンサ。
【請求項７】
長手方向の長さ及び幅方向の長さに比して高さ方向の長さが小さい略直方体形状を呈すると共に、前記高さ方向で互いに対向する第一及び第二主面と、前記第一及び第二主面を連結するように前記高さ方向に延び且つ前記幅方向で互いに対向する第一及び第二側面と、前記第一及び第二主面を連結するように前記高さ方向に延び且つ前記長手方向で互いに対向する第三及び第四側面と、を有する素体と、
前記高さ方向で互いに対向するように前記素体内に配置された第一及び第二内部電極と、
互いに離間するように前記素体内に配置された第一〜第四内部導体と、
前記素体の外表面に配置され、前記第一内部導体と接続される第一端子電極と、
前記素体の外表面に配置され、前記第二内部導体と接続される第二端子電極と、
前記素体の外表面に配置され、前記第三内部導体と接続される第三端子電極と、
前記素体の外表面に配置され、前記第四内部導体と接続される第四端子電極と、
前記素体の外表面に配置され、前記第一内部電極と前記第一及び第三内部導体とに接続される第一外部導体と、
前記素体の外表面に配置され、前記第二内部電極と前記第二及び第四内部導体とに接続される第二外部導体と、を備え、
前記第一内部電極は、第一主電極部と、前記第一主電極部から延びて前記第三側面に露出する第一引出部と、を有し、
前記第二内部電極は、前記第一主電極部と前記高さ方向で対向する第二主電極部と、前記第二主電極部から延びて前記第四側面に露出する第二引出部と、を有し、
前記第一内部導体は、前記第一側面に露出する第三引出部と、前記第三側面に露出する第四引出部と、を有し、
前記第二内部導体は、前記第一側面に露出する第五引出部と、前記第四側面に露出する第六引出部と、を有し、
前記第三内部導体は、前記第二側面に露出する第七引出部と、前記第三側面に露出する第八引出部と、を有し、
前記第四内部導体は、前記第二側面に露出する第九引出部と、前記第四側面に露出する第十引出部と、を有し、
前記第一端子電極は、前記第一側面に配置され且つ前記第一内部導体の前記第三引出部に接続される電極部分と、前記第一主面に配置され且つ前記第一側面側から前記第二側面側に向かって延びる電極部分と、を有し、
前記第二端子電極は、前記第一側面に配置され且つ前記第二内部導体の前記第五引出部に接続される電極部分と、前記第一主面に配置され且つ前記第一側面側から前記第二側面側に向かって延びる電極部分と、を有し、
前記第三端子電極は、前記第二側面に配置され且つ前記第一内部導体の前記第七引出部に接続される電極部分と、前記第一主面に配置され且つ前記第二側面側から前記第一側面側に向かって延びる電極部分と、を有し、
前記第四端子電極は、前記第二側面に配置され且つ前記第二内部導体の前記第九引出部に接続される電極部分と、前記第一主面に配置され且つ前記第二側面側から前記第一側面側に向かって延びる電極部分と、を有し、
前記第一外部導体は、前記第三側面に配置され且つ前記第一内部電極の前記第一引出部と前記第一内部導体の前記第四引出部と前記第三内部導体の前記第八引出部とに接続され、
前記第二外部導体は、前記第四側面に配置され且つ前記第二内部電極の前記第二引出部と前記第二内部導体の前記第六引出部と前記第四内部導体の前記第十引出部とに接続されていることを特徴とする積層コンデンサ。
【請求項８】
前記第一及び第四端子電極の、前記第一主面に配置された前記電極部分は、前記第一主面において前記長手方向に並んで位置し、
前記第二及び第三端子電極の、前記第一主面に配置された前記電極部分は、前記第一主面において前記長手方向に並んで位置し、
前記第一端子電極と前記第二又は第三端子電極との、前記第一主面に配置された前記電極部分同士は、前記長手方向で隣り合っていることを特徴とする請求項６又は７に記載の積層コンデンサ。
【請求項９】
長手方向の長さ及び幅方向の長さに比して高さ方向の長さが小さい略直方体形状を呈すると共に、前記高さ方向で互いに対向する第一及び第二主面と、前記第一及び第二主面を連結するように前記高さ方向に延び且つ前記幅方向で互いに対向する第一及び第二側面と、前記第一及び第二主面を連結するように前記高さ方向に延び且つ前記長手方向で互いに対向する第三及び第四側面と、を有する素体と、
前記高さ方向で互いに対向するように前記素体内に配置された第一及び第二内部電極と、
互いに離間するように前記素体内に配置された第一及び第二内部導体と、
前記素体の外表面に配置され、前記第一内部導体と接続される第一端子電極と、
前記素体の外表面に配置され、前記第二内部導体と接続される第二端子電極と、
前記素体の外表面に配置され、前記第一内部導体と接続される第三端子電極と、
前記素体の外表面に配置され、前記第二内部導体と接続される第四端子電極と、
前記素体の外表面に配置され、前記第一内部導体と前記第一内部電極とに接続される第一外部導体と、
前記素体の外表面に配置され、前記第二内部導体と前記第二内部電極とに接続される第二外部導体と、を備え、
前記第一内部電極は、第一主電極部と、前記第一主電極部から延びて前記第三側面に露出する第一引出部と、を有し、
前記第二内部電極は、前記第一主電極部と前記高さ方向で対向する第二主電極部と、前記第二主電極部から延びて前記第四側面に露出する第二引出部と、を有し、
前記第一内部導体は、前記第一側面に露出する第三引出部と、前記第二側面に露出する第四引出部と、前記第三側面に露出する第五引出部と、を有し、
前記第二内部導体は、前記第一側面に露出する第六引出部と、前記第二側面に露出する第七引出部と、前記第四側面に露出する第八引出部と、を有し、
前記第一端子電極は、前記第一側面に配置され且つ前記第一内部導体の前記第三引出部に接続される電極部分と、前記第一主面に配置され且つ前記第一側面側から前記第二側面側に向かって延びる電極部分と、を有し、
前記第二端子電極は、前記第一側面に配置され且つ前記第二内部導体の前記第六引出部に接続される電極部分と、前記第一又は第二主面に配置され且つ前記第一側面側から前記第二側面側に向かって延びる電極部分と、を有し、
前記第三端子電極は、前記第二側面に配置され且つ前記第一内部導体の前記第四引出部に接続される電極部分と、前記第一及び第二主面のうち前記第二端子電極が配置されていない主面に配置され且つ前記第二側面側から前記第一側面側に向かって延びる電極部分と、を有し、
前記第四端子電極は、前記第二側面に配置され且つ前記第二内部導体の前記第七引出部に接続される電極部分と、前記第二主面に配置され且つ前記第二側面側から前記第一側面側に向かって延びる電極部分と、を有し、
前記第一外部導体は、前記第三側面に配置され且つ前記第一内部電極の前記第一引出部と前記第一内部導体の前記第五引出部とに接続され、
前記第二外部導体は、前記第四側面に配置され且つ前記第二内部電極の前記第二引出部と前記第二内部導体の前記第八引出部に接続されていることを特徴とする積層コンデンサ。
【請求項１０】
長手方向の長さ及び幅方向の長さに比して高さ方向の長さが小さい略直方体形状を呈すると共に、前記高さ方向で互いに対向する第一及び第二主面と、前記第一及び第二主面を連結するように前記高さ方向に延び且つ前記幅方向で互いに対向する第一及び第二側面と、前記第一及び第二主面を連結するように前記高さ方向に延び且つ前記長手方向で互いに対向する第三及び第四側面と、を有する素体と、
前記高さ方向で互いに対向するように前記素体内に配置された第一及び第二内部電極と、
互いに離間するように前記素体内に配置された第一〜第四内部導体と、
前記素体の外表面に配置され、前記第一内部導体と接続される第一端子電極と、
前記素体の外表面に配置され、前記第二内部導体と接続される第二端子電極と、
前記素体の外表面に配置され、前記第三内部導体と接続される第三端子電極と、
前記素体の外表面に配置され、前記第四内部導体と接続される第四端子電極と、
前記素体の外表面に配置され、前記第一内部電極と前記第一及び第三内部導体とに接続される第一外部導体と、
前記素体の外表面に配置され、前記第二内部電極と前記第二及び第四内部導体とに接続される第二外部導体と、を備え、
前記第一内部電極は、第一主電極部と、前記第一主電極部から延びて前記第三側面に露出する第一引出部と、を有し、
前記第二内部電極は、前記第一主電極部と前記高さ方向で対向する第二主電極部と、前記第二主電極部から延びて前記第四側面に露出する第二引出部と、を有し、
前記第一内部導体は、前記第一側面に露出する第三引出部と、前記第三側面に露出する第四引出部と、を有し、
前記第二内部導体は、前記第一側面に露出する第五引出部と、前記第四側面に露出する第六引出部と、を有し、
前記第三内部導体は、前記第二側面に露出する第七引出部と、前記第三側面に露出する第八引出部と、を有し、
前記第四内部導体は、前記第二側面に露出する第九引出部と、前記第四側面に露出する第十引出部と、を有し、
前記第一端子電極は、前記第一側面に配置され且つ前記第一内部導体の前記第三引出部に接続される電極部分と、前記第一主面に配置され且つ前記第一側面側から前記第二側面側に向かって延びる電極部分と、を有し、
前記第二端子電極は、前記第一側面に配置され且つ前記第二内部導体の前記第五引出部に接続される電極部分と、前記第一又は第二主面に配置され且つ前記第一側面側から前記第二側面側に向かって延びる電極部分と、を有し、
前記第三端子電極は、前記第二側面に配置され且つ前記第一内部導体の前記第七引出部に接続される電極部分と、前記第一及び第二主面のうち前記第二端子電極が配置されていない主面に配置され且つ前記第二側面側から前記第一側面側に向かって延びる電極部分と、を有し、
前記第四端子電極は、前記第二側面に配置され且つ前記第二内部導体の前記第九引出部に接続される電極部分と、前記第二主面に配置され且つ前記第二側面側から前記第一側面側に向かって延びる電極部分と、を有し、
前記第一外部導体は、前記第三側面に配置され且つ前記第一内部電極の前記第一引出部と前記第一内部導体の前記第四引出部と前記第三内部導体の前記第八引出部とに接続され、
前記第二外部導体は、前記第四側面に配置され且つ前記第二内部電極の前記第二引出部と前記第二内部導体の前記第六引出部と前記第四内部導体の前記第十引出部とに接続されていることを特徴とする積層コンデンサ。
【請求項１１】
前記第一端子電極と前記第二又は第三端子電極との、前記第一主面に配置された前記電極部分同士は、前記第一主面において前記長手方向に並んで位置して、隣り合っていることを特徴とする請求項９又は１０に記載の積層コンデンサ。
【請求項１２】
それぞれ複数の前記第一〜第四端子電極を備え、
前記複数の第一端子電極の前記第一側面に配置される前記電極部分と前記複数の第二端子電極の前記第一側面に配置される前記電極部分とは、前記長手方向に交互に位置し、
前記複数の第三端子電極の前記第二側面に配置される前記電極部分と前記複数の第四端子電極の前記第二側面に配置される前記電極部分とは、前記長手方向に交互に位置し、
前記複数の第一内部導体は、前記複数の第一端子電極の前記第一側面に配置される前記電極部分に対応した複数の前記第三引出部と、前記複数の第三端子電極の前記第二側面に配置される前記電極部分に対応した複数の前記第四引出部と、を有し、
前記複数の第二内部導体は、前記複数の第二端子電極の前記第一側面に配置される前記電極部分に対応した複数の前記第六引出部と、前記複数の第四端子電極の前記第二側面に配置される前記電極部分に対応した複数の前記第七引出部と、を有していることを特徴とする請求項９に記載の積層コンデンサ。
【請求項１３】
それぞれ複数の前記第一〜第四端子電極と、
それぞれ複数の前記第一〜第四内部導体と、を備え、
前記複数の第一端子電極の前記第一側面に配置される前記電極部分と前記複数の第二端子電極の前記第一側面に配置される前記電極部分とは、前記長手方向に交互に位置し、
前記複数の第三端子電極の前記第二側面に配置される前記電極部分と前記複数の第四端子電極の前記第二側面に配置される前記電極部分とは、前記長手方向に交互に位置していることを特徴とする請求項１０に記載の積層コンデンサ。
【発明の詳細な説明】
【技術分野】
【０００１】
本発明は、積層コンデンサに関する。
【背景技術】
【０００２】
積層コンデンサとして、長手方向の長さ及び幅方向の長さに比して高さ方向の長さが小さい略直方体形状を呈すると共に、上記高さ方向で互いに対向する一対の主面と、一対の主面を連結するように上記高さ方向に延び且つ上記幅方向で互いに対向する一対の側面と、一対の主面を連結するように上記高さ方向に延び且つ上記長手方向で互いに対向する一対の端面と、を有する素体と、上記高さ方向で互いに対向するように素体内に配置された第一及び第二内部電極と、互いに離間するように素体内に配置された第一及び第二内部導体と、素体の外表面に配置され、第一内部導体と接続される第一端子電極と、素体の外表面に配置され、第二内部導体と接続される第二端子電極と、素体の外表面に配置され、第一内部導体と第一内部電極とに接続される第一外部導体と、素体の外表面に配置され、第二内部導体と第二内部電極とに接続される第二外部導体と、を備えるものが知られている（たとえば、特許文献１参照）。
【０００３】
第一及び第二内部電極が、対応する外部導体のみに接続され、第一及び第二内部導体が、対応する端子電極及び外部導体に接続されている。したがって、特許文献１に記載された積層コンデンサでは、第一及び第二内部電極が並列に接続された外部導体が端子電極に直列に接続されるので、従来のように内部電極が端子電極に並列接続された構成と比較して、高ＥＳＲ（等価直列抵抗）化が図られている。
【先行技術文献】
【特許文献】
【０００４】
【特許文献１】特開２００３−１６８６２０号公報
【発明の概要】
【発明が解決しようとする課題】
【０００５】
近年、情報端末機器などの電子機器では、小型化及び薄型化が進んでいる。それに伴って、電子機器に搭載される基板や基板に搭載される電子部品においても、小型化が進んでおり、高密度実装化も進んでいる。更なる小型化を図るために、基板内に電子部品が埋め込まれている、電子部品内蔵基板も開発されてきている。電子部品内蔵基板では、基板の内部に電子部品が埋め込まれて実装されている。基板に形成された配線と埋め込まれている電子部品とは、確実に、電気的に接続される必要がある。しかしながら、特許文献１に記載された積層コンデンサでは、基板への埋め込み（基板への内蔵）、及び、基板に形成された配線との電気的な接続については考慮されていない。
【０００６】
本発明は、基板への内蔵が容易であり且つ高ＥＳＲ化が図られた積層コンデンサを提供することを目的とする。
【課題を解決するための手段】
【０００７】
本発明に係る積層コンデンサは、長手方向の長さ及び幅方向の長さに比して高さ方向の長さが小さい略直方体形状を呈すると共に、上記高さ方向で互いに対向する第一及び第二主面と、第一及び第二主面を連結するように上記高さ方向に延び且つ上記幅方向で互いに対向する第一及び第二側面と、第一及び第二主面を連結するように上記高さ方向に延び且つ上記長手方向で互いに対向する第三及び第四側面と、を有する素体と、上記高さ方向で互いに対向するように素体内に配置された第一及び第二内部電極と、互いに離間するように素体内に配置された第一及び第二内部導体と、素体の外表面に配置され、第一内部導体と接続される第一端子電極と、素体の外表面に配置され、第二内部導体と接続される第二端子電極と、素体の外表面に配置され、第一内部導体と第一内部電極とに接続される第一外部導体と、素体の外表面に配置され、第二内部導体と第二内部電極とに接続される第二外部導体と、を備え、第一内部電極は、第一主電極部と、第一主電極部から延びて第三側面に露出する第一引出部と、を有し、第二内部電極は、第一主電極部と上記高さ方向で対向する第二主電極部と、第二主電極部から延びて第四側面に露出する第二引出部と、を有し、第一内部導体は、第一側面に露出する第三引出部と、第三側面に露出する第四引出部と、を有し、第二内部導体は、第一又は第二側面に露出する第五引出部と、第四側面に露出する第六引出部と、を有し、第一端子電極は、第一側面に配置され且つ第一内部導体の第三引出部に接続される電極部分と、第一主面に配置され且つ第一側面側から第二側面側に向かって延びる電極部分と、を有し、第二端子電極は、第一又は第二側面に配置され且つ第二内部導体の第五引出部に接続される電極部分と、第一又は第二主面に配置され且つ第五引出部が露出する側面側から該側面に対向する側面側に向かって延びる電極部分と、を有し、第一外部導体は、第三側面に配置され且つ第一内部電極の第一引出部と第一内部導体の第四引出部とに接続され、第二外部導体は、第四側面に配置され且つ第二内部電極の第二引出部と第二内部導体の第六引出部とに接続されていることを特徴とする。
【０００８】
本発明に係る積層コンデンサでは、第一内部電極が第一外部導体のみに接続され、第二内部電極が第二外部導体のみに接続され、第一内部導体が第一端子電極及び第一外部導体に接続され、第二内部導体が第二端子電極及び第二外部導体に接続されている。第一内部電極が接続された第一外部導体が第一端子電極に直列に接続され、第二内部電極が接続された第二外部導体が第二端子電極に直列に接続されるので、高ＥＳＲ化が図られる。
【０００９】
本発明では、上記長手方向の長さ及び上記幅方向の長さに比して上記高さ方向の長さが小さく、低背化が図られている。第一端子電極は、素体の第一主面に配置された電極部分を有し、第二端子電極は、素体の第一又は第二主面に配置された電極部分を有している。したがって、本発明に係る積層コンデンサは、素体の第一主面側又は素体の第一及び第二主面側において、基板に形成された配線と電気的に接続可能となり、容易に基板へ内蔵することができる。
【００１０】
第二端子電極の、第五引出部が露出する側面側から該側面に対向する側面側に向かって延びる電極部分は、第一主面に配置されていてもよい。この場合、上記積層コンデンサは、素体の第一主面側において、基板に形成された配線と電気的に接続可能となり、容易に基板へ内蔵することができる。
【００１１】
第二端子電極の、第五引出部が露出する側面側から該側面に対向する側面側に向かって延びる電極部分は、第二主面に配置されていてもよい。この場合、上記積層コンデンサは、素体の第一及び第二主面側において、基板に形成された配線と電気的に接続可能となり、容易に基板へ内蔵することができる。
【００１２】
第二端子電極の、第五引出部に接続される電極部分は、第一側面に配置されていてもよい。この場合、互いに異極性となる第一端子電極と第二端子電極とは、第一側面に配置される電極部分を有するため、第一端子電極に対する電流による磁界と第二端子電極に対する電流による磁界とが相殺され、低ＥＳＬ化が図られる。
【００１３】
第一端子電極は、第一側面に配置される電極部分の上記長手方向での幅が、第一主面に配置される電極部分の上記長手方向での幅よりも小さく、第二端子電極は、第一又は第二側面に配置される電極部分の上記長手方向での幅が、第一又は第二主面に配置される電極部分の上記長手方向での幅よりも小さくてもよい。この場合、側面に配置される電極部分と素体との接触面積が必要以上に大きくなるのが抑制され、素体に各端子電極を形成した際に生じる応力が減少し、素体にクラックなどの構造欠陥が生じるのを防ぐことができる。素体に生じる応力は、第一及び第二端子電極が、素体に形成された焼付電極層を含んでいる場合、顕著に生じ易い。したがって、第一及び第二端子電極が、焼付電極層を含んでいる構成において、特に、有効である。また、第一端子電極に接続される第三引出部及び第二端子電極に接続される第五引出部の幅（上記長手方向での長さ）が狭くなるため、より一層高ＥＳＲ化が図られる。
【００１４】
本発明に係る積層コンデンサは、長手方向の長さ及び幅方向の長さに比して高さ方向の長さが小さい略直方体形状を呈すると共に、上記高さ方向で互いに対向する第一及び第二主面と、第一及び第二主面を連結するように上記高さ方向に延び且つ上記幅方向で互いに対向する第一及び第二側面と、第一及び第二主面を連結するように上記高さ方向に延び且つ上記長手方向で互いに対向する第三及び第四側面と、を有する素体と、上記高さ方向で互いに対向するように素体内に配置された第一及び第二内部電極と、互いに離間するように素体内に配置された第一及び第二内部導体と、素体の外表面に配置され、第一内部導体と接続される第一端子電極と、素体の外表面に配置され、第二内部導体と接続される第二端子電極と、素体の外表面に配置され、第一内部導体と接続される第三端子電極と、素体の外表面に配置され、第二内部導体と接続される第四端子電極と、素体の外表面に配置され、第一内部導体と第一内部電極とに接続される第一外部導体と、素体の外表面に配置され、第二内部導体と第二内部電極とに接続される第二外部導体と、を備え、第一内部電極は、第一主電極部と、第一主電極部から延びて第三側面に露出する第一引出部と、を有し、第二内部電極は、第一主電極部と上記高さ方向で対向する第二主電極部と、第二主電極部から延びて第四側面に露出する第二引出部と、を有し、第一内部導体は、第一側面に露出する第三引出部と、第二側面に露出する第四引出部と、第三側面に露出する第五引出部と、を有し、第二内部導体は、第一側面に露出する第六引出部と、第二側面に露出する第七引出部と、第四側面に露出する第八引出部と、を有し、第一端子電極は、第一側面に配置され且つ第一内部導体の第三引出部に接続される電極部分と、第一主面に配置され且つ第一側面側から第二側面側に向かって延びる電極部分と、を有し、第二端子電極は、第一側面に配置され且つ第二内部導体の第六引出部に接続される電極部分と、第一主面に配置され且つ第一側面側から第二側面側に向かって延びる電極部分と、を有し、第三端子電極は、第二側面に配置され且つ第一内部導体の第四引出部に接続される電極部分と、第一主面に配置され且つ第二側面側から第一側面側に向かって延びる電極部分と、を有し、第四端子電極は、第二側面に配置され且つ第二内部導体の第七引出部に接続される電極部分と、第一主面に配置され且つ第二側面側から第一側面側に向かって延びる電極部分と、を有し、第一外部導体は、第三側面に配置され且つ第一内部電極の第一引出部と第一内部導体の第五引出部とに接続され、第二外部導体は、第四側面に配置され且つ第二内部電極の第二引出部と第二内部導体の第八引出部に接続されていることを特徴とする。
【００１５】
本発明に係る積層コンデンサは、長手方向の長さ及び幅方向の長さに比して高さ方向の長さが小さい略直方体形状を呈すると共に、上記高さ方向で互いに対向する第一及び第二主面と、第一及び第二主面を連結するように上記高さ方向に延び且つ上記幅方向で互いに対向する第一及び第二側面と、第一及び第二主面を連結するように上記高さ方向に延び且つ上記長手方向で互いに対向する第三及び第四側面と、を有する素体と、上記高さ方向で互いに対向するように素体内に配置された第一及び第二内部電極と、互いに離間するように素体内に配置された第一〜第四内部導体と、素体の外表面に配置され、第一内部導体と接続される第一端子電極と、素体の外表面に配置され、第二内部導体と接続される第二端子電極と、素体の外表面に配置され、第三内部導体と接続される第三端子電極と、素体の外表面に配置され、第四内部導体と接続される第四端子電極と、素体の外表面に配置され、第一内部電極と第一及び第三内部導体とに接続される第一外部導体と、素体の外表面に配置され、第二内部電極と第二及び第四内部導体とに接続される第二外部導体と、を備え、第一内部電極は、第一主電極部と、第一主電極部から延びて第三側面に露出する第一引出部と、を有し、第二内部電極は、第一主電極部と上記高さ方向で対向する第二主電極部と、第二主電極部から延びて第四側面に露出する第二引出部と、を有し、第一内部導体は、第一側面に露出する第三引出部と、第三側面に露出する第四引出部と、を有し、第二内部導体は、第一側面に露出する第五引出部と、第四側面に露出する第六引出部と、を有し、第三内部導体は、第二側面に露出する第七引出部と、第三側面に露出する第八引出部と、を有し、第四内部導体は、第二側面に露出する第九引出部と、第四側面に露出する第十引出部と、を有し、第一端子電極は、第一側面に配置され且つ第一内部導体の第三引出部に接続される電極部分と、第一主面に配置され且つ第一側面側から第二側面側に向かって延びる電極部分と、を有し、第二端子電極は、第一側面に配置され且つ第二内部導体の第五引出部に接続される電極部分と、第一主面に配置され且つ第一側面側から第二側面側に向かって延びる電極部分と、を有し、第三端子電極は、第二側面に配置され且つ第一内部導体の第七引出部に接続される電極部分と、第一主面に配置され且つ第二側面側から第一側面側に向かって延びる電極部分と、を有し、第四端子電極は、第二側面に配置され且つ第二内部導体の第九引出部に接続される電極部分と、第一主面に配置され且つ第二側面側から第一側面側に向かって延びる電極部分と、を有し、第一外部導体は、第三側面に配置され且つ第一内部電極の第一引出部と第一内部導体の第四引出部と第三内部導体の第八引出部とに接続され、第二外部導体は、第四側面に配置され且つ第二内部電極の第二引出部と第二内部導体の第六引出部と第四内部導体の第十引出部とに接続されていることを特徴とする。
【００１６】
本発明に係るいずれの積層コンデンサにおいても、第一内部電極が第一外部導体のみに接続され、第二内部電極が第二外部導体のみに接続され、第一内部導体が第一及び第三端子電極並びに第一外部導体に接続され、第二内部導体が第二及び第四端子電極並びに第二外部導体に接続されている。第一内部電極が接続された第一外部導体が第一及び第三端子電極に直列に接続され、第二内部電極が接続された第二外部導体が第二及び第四端子電極に直列に接続されるので、高ＥＳＲ化が図られる。
【００１７】
本発明のいずれにおいても、上記長手方向の長さ及び上記幅方向の長さに比して上記高さ方向の長さが小さく、低背化が図られている。第一〜第四端子電極は、素体の第一主面に配置された電極部分をそれぞれ有している。したがって、本発明に係るいずれの積層コンデンサも、素体の第一主面側において、基板に形成された配線と電気的に接続可能となり、容易に基板へ内蔵することができる。
【００１８】
第一及び第四端子電極の、第一主面に配置された電極部分は、第一主面において上記長手方向に並んで位置し、第二及び第三端子電極の、第一主面に配置された電極部分は、第一主面において上記長手方向に並んで位置し、第一端子電極と第二又は第三端子電極との、第一主面に配置された電極部分同士は、上記長手方向で隣り合っていてもよい。この場合、第一端子電極の第一主面に配置された電極部分を流れる電流による磁界と、第二又は第三端子電極の第一主面に配置された電極部分を流れる電流による磁界と、が相殺され易く、ＥＳＬを更に低減することが可能である。
【００１９】
本発明に係る積層コンデンサは、長手方向の長さ及び幅方向の長さに比して高さ方向の長さが小さい略直方体形状を呈すると共に、上記高さ方向で互いに対向する第一及び第二主面と、第一及び第二主面を連結するように上記高さ方向に延び且つ上記幅方向で互いに対向する第一及び第二側面と、第一及び第二主面を連結するように上記高さ方向に延び且つ上記長手方向で互いに対向する第三及び第四側面と、を有する素体と、上記高さ方向で互いに対向するように素体内に配置された第一及び第二内部電極と、互いに離間するように素体内に配置された第一及び第二内部導体と、素体の外表面に配置され、第一内部導体と接続される第一端子電極と、素体の外表面に配置され、第二内部導体と接続される第二端子電極と、素体の外表面に配置され、第一内部導体と接続される第三端子電極と、素体の外表面に配置され、第二内部導体と接続される第四端子電極と、素体の外表面に配置され、第一内部導体と第一内部電極とに接続される第一外部導体と、素体の外表面に配置され、第二内部導体と第二内部電極とに接続される第二外部導体と、を備え、第一内部電極は、第一主電極部と、第一主電極部から延びて第三側面に露出する第一引出部と、を有し、第二内部電極は、第一主電極部と上記高さ方向で対向する第二主電極部と、第二主電極部から延びて第四側面に露出する第二引出部と、を有し、第一内部導体は、第一側面に露出する第三引出部と、第二側面に露出する第四引出部と、第三側面に露出する第五引出部と、を有し、第二内部導体は、第一側面に露出する第六引出部と、第二側面に露出する第七引出部と、第四側面に露出する第八引出部と、を有し、第一端子電極は、第一側面に配置され且つ第一内部導体の第三引出部に接続される電極部分と、第一主面に配置され且つ第一側面側から第二側面側に向かって延びる電極部分と、を有し、第二端子電極は、第一側面に配置され且つ第二内部導体の第六引出部に接続される電極部分と、第一又は第二主面に配置され且つ第一側面側から第二側面側に向かって延びる電極部分と、を有し、第三端子電極は、第二側面に配置され且つ第一内部導体の第四引出部に接続される電極部分と、第一及び第二主面のうち第二端子電極が配置されていない主面に配置され且つ第二側面側から第一側面側に向かって延びる電極部分と、を有し、第四端子電極は、第二側面に配置され且つ第二内部導体の第七引出部に接続される電極部分と、第二主面に配置され且つ第二側面側から第一側面側に向かって延びる電極部分と、を有し、第一外部導体は、第三側面に配置され且つ第一内部電極の第一引出部と第一内部導体の第五引出部とに接続され、第二外部導体は、第四側面に配置され且つ第二内部電極の第二引出部と第二内部導体の第八引出部に接続されていることを特徴とする。
【００２０】
本発明に係る積層コンデンサは、長手方向の長さ及び幅方向の長さに比して高さ方向の長さが小さい略直方体形状を呈すると共に、上記高さ方向で互いに対向する第一及び第二主面と、第一及び第二主面を連結するように上記高さ方向に延び且つ上記幅方向で互いに対向する第一及び第二側面と、第一及び第二主面を連結するように上記高さ方向に延び且つ上記長手方向で互いに対向する第三及び第四側面と、を有する素体と、上記高さ方向で互いに対向するように素体内に配置された第一及び第二内部電極と、互いに離間するように素体内に配置された第一〜第四内部導体と、素体の外表面に配置され、第一内部導体と接続される第一端子電極と、素体の外表面に配置され、第二内部導体と接続される第二端子電極と、素体の外表面に配置され、第三内部導体と接続される第三端子電極と、素体の外表面に配置され、第四内部導体と接続される第四端子電極と、素体の外表面に配置され、第一内部電極と第一及び第三内部導体とに接続される第一外部導体と、素体の外表面に配置され、第二内部電極と第二及び第四内部導体とに接続される第二外部導体と、を備え、第一内部電極は、第一主電極部と、第一主電極部から延びて第三側面に露出する第一引出部と、を有し、第二内部電極は、第一主電極部と上記高さ方向で対向する第二主電極部と、第二主電極部から延びて第四側面に露出する第二引出部と、を有し、第一内部導体は、第一側面に露出する第三引出部と、第三側面に露出する第四引出部と、を有し、第二内部導体は、第一側面に露出する第五引出部と、第四側面に露出する第六引出部と、を有し、第三内部導体は、第二側面に露出する第七引出部と、第三側面に露出する第八引出部と、を有し、第四内部導体は、第二側面に露出する第九引出部と、第四側面に露出する第十引出部と、を有し、第一端子電極は、第一側面に配置され且つ第一内部導体の第三引出部に接続される電極部分と、第一主面に配置され且つ第一側面側から第二側面側に向かって延びる電極部分と、を有し、第二端子電極は、第一側面に配置され且つ第二内部導体の第五引出部に接続される電極部分と、第一又は第二主面に配置され且つ第一側面側から第二側面側に向かって延びる電極部分と、を有し、第三端子電極は、第二側面に配置され且つ第一内部導体の第七引出部に接続される電極部分と、第一及び第二主面のうち第二端子電極が配置されていない主面に配置され且つ第二側面側から第一側面側に向かって延びる電極部分と、を有し、第四端子電極は、第二側面に配置され且つ第二内部導体の第九引出部に接続される電極部分と、第二主面に配置され且つ第二側面側から第一側面側に向かって延びる電極部分と、を有し、第一外部導体は、第三側面に配置され且つ第一内部電極の第一引出部と第一内部導体の第四引出部と第三内部導体の第八引出部とに接続され、第二外部導体は、第四側面に配置され且つ第二内部電極の第二引出部と第二内部導体の第六引出部と第四内部導体の第十引出部とに接続されていることを特徴とする。
【００２１】
本発明に係るいずれの積層コンデンサにおいても、第一内部電極が第一外部導体のみに接続され、第二内部電極が第二外部導体のみに接続され、第一内部導体が第一及び第三端子電極並びに第一外部導体に接続され、第二内部導体が第二及び第四端子電極並びに第二外部導体に接続されている。第一内部電極が接続された第一外部導体が第一及び第三端子電極に直列に接続され、第二内部電極が接続された第二外部導体が第二及び第四端子電極に直列に接続されるので、高ＥＳＲ化が図られる。
【００２２】
本発明のいずれにおいても、上記長手方向の長さ及び上記幅方向の長さに比して上記高さ方向の長さが小さく、低背化が図られている。第一端子電極は、素体の第一主面に配置された電極部分を有し、第四端子電極は、素体の第二主面に配置された電極部分を有している。第二端子電極は、素体の第一又は第二主面に配置された電極部分を有し、第三端子電極は、第一及び第二主面のうち第二端子電極が配置されていない主面に配置された電極部分を有している。したがって、本発明に係るいずれの積層コンデンサも、素体の第一及び第二主面側において、基板に形成された配線と電気的に接続可能となり、容易に基板へ内蔵することができる。
【００２３】
第一端子電極と第二又は第三端子電極との、第一主面に配置された電極部分同士は、第一主面において上記長手方向に並んで位置して、隣り合っていてもよい。この場合、第一端子電極の第一主面に配置された電極部分を流れる電流による磁界と、第二又は第三端子電極の第一主面に配置された電極部分を流れる電流による磁界と、が相殺され易く、ＥＳＬを更に低減することが可能である。第四端子電極の第二主面に配置された電極部分を流れる電流による磁界と、第二又は第三端子電極の第二主面に配置された電極部分を流れる電流による磁界と、が相殺され易く、ＥＳＬを更に低減することが可能である。
【００２４】
それぞれ複数の第一〜第四端子電極を備え、複数の第一端子電極の第一側面に配置される電極部分と複数の第二端子電極の第一側面に配置される電極部分とは、上記長手方向に交互に位置し、複数の第三端子電極の第二側面に配置される電極部分と複数の第四端子電極の第二側面に配置される電極部分とは、上記長手方向に交互に位置し、複数の第一内部導体は、複数の第一端子電極の第一側面に配置される電極部分に対応した複数の第三引出部と、複数の第三端子電極の第二側面に配置される電極部分に対応した複数の第四引出部と、を有し、複数の第二内部導体は、複数の第二端子電極の第一側面に配置される電極部分に対応した複数の第六引出部と、複数の第四端子電極の第二側面に配置される電極部分に対応した複数の第七引出部と、を有していてもよい。
【００２５】
それぞれ複数の第一〜第四端子電極と、それぞれ複数の第一〜第四内部導体と、を備え、複数の第一端子電極の第一側面に配置される電極部分と複数の第二端子電極の第一側面に配置される電極部分とは、上記長手方向に交互に位置し、複数の第三端子電極の第二側面に配置される電極部分と複数の第四端子電極の第二側面に配置される電極部分とは、上記長手方向に交互に位置していてもよい。
【００２６】
いずれの場合においても、それぞれ複数の第一端子電極と第二端子電極とが有する、第一側面において配置される電極部分は、長手方向に交互に位置するため、上述したように、低ＥＳＬ化が図られる。それぞれ複数の第三端子電極と第四端子電極とが有する、第二側面において配置される電極部分は、長手方向に交互に位置するため、上述したように、低ＥＳＬ化が図られる。
【発明の効果】
【００２７】
本発明によれば、基板への内蔵が容易であり且つ高ＥＳＲ化が図られた積層コンデンサを提供することができる。
【図面の簡単な説明】
【００２８】
【図１】本発明の実施形態に係る積層コンデンサを示す斜視図である。
【図２】図１におけるII−II線に沿った断面構成を説明するための図である。
【図３】本実施形態に係る積層コンデンサの、第一端子電極を含む断面構成を説明するための図である。
【図４】本実施形態に係る積層コンデンサの、第二端子電極を含む断面構成を説明するための図である。
【図５】第一及び第二内部電極を示す平面図である。
【図６】第一及び第二内部導体を示す平面図である。
【図７】本実施形態に係る積層コンデンサの実装構造を説明するための図である。
【図８】本実施形態の変形例に係る積層コンデンサを示す斜視図である。
【図９】本実施形態の変形例に係る積層コンデンサを示す斜視図である。
【図１０】本実施形態の変形例に係る積層コンデンサを示す斜視図である。
【図１１】本実施形態の変形例に係る積層コンデンサの、第二端子電極を含む断面構成を説明するための図である。
【図１２】第二内部導体を示す平面図である。
【図１３】本実施形態の変形例に係る積層コンデンサを示す斜視図である。
【図１４】本実施形態の変形例に係る積層コンデンサを示す斜視図である。
【図１５】図１３におけるXV−XV線に沿った断面構成を説明するための図である。
【図１６】図１３におけるXVI−XVI線に沿った断面構成を説明するための図である。
【図１７】図１３におけるXVII−XVII線に沿った断面構成を説明するための図である。
【図１８】本実施形態の変形例に係る積層コンデンサの実装構造を説明するための図である。
【図１９】本実施形態の変形例に係る積層コンデンサを示す斜視図である。
【図２０】図１９におけるXX−XX線に沿った断面構成を説明するための図である。
【図２１】本実施形態の変形例に係る積層コンデンサの、第一及び第四端子電極を含む断面構成を説明するための図である。
【図２２】本実施形態の変形例に係る積層コンデンサの、第二及び第三端子電極を含む断面構成を説明するための図である。
【図２３】第一及び第二内部導体を示す平面図である。
【図２４】本実施形態の変形例に係る積層コンデンサの実装構造を説明するための図である。
【図２５】第一〜第四端子電極における電流の向きを説明するための模式図である。
【図２６】本実施形態の変形例に係る積層コンデンサを示す斜視図である。
【図２７】第一〜第四端子電極における電流の向きを説明するための模式図である。
【図２８】本実施形態の変形例に係る積層コンデンサを示す斜視図である。
【図２９】図２８におけるXXIX−XXIX線に沿った断面構成を説明するための図である。
【図３０】本実施形態の変形例に係る積層コンデンサの、第一及び第四端子電極を含む断面構成を説明するための図である。
【図３１】本実施形態の変形例に係る積層コンデンサの、第二及び第三端子電極を含む断面構成を説明するための図である。
【図３２】本実施形態の変形例に係る積層コンデンサの実装構造を説明するための図である。
【図３３】第一〜第四端子電極における電流の向きを説明するための模式図である。
【図３４】本実施形態の変形例に係る積層コンデンサを示す斜視図である。
【図３５】図３４におけるXXXV−XXXV線に沿った断面構成を説明するための図である。
【図３６】本実施形態の変形例に係る積層コンデンサの、第二及び第三端子電極を含む断面構成を説明するための図である。
【図３７】第一〜第四端子電極における電流の向きを説明するための模式図である。
【図３８】本実施形態の変形例に係る積層コンデンサを示す斜視図である。
【図３９】図３８におけるXXXIX−XXXIX線に沿った断面構成を説明するための図である。
【図４０】第一及び第二内部導体を示す平面図である。
【図４１】本実施形態の変形例に係る積層コンデンサの実装構造を説明するための図である。
【図４２】本実施形態の変形例に係る積層コンデンサを示す斜視図である。
【図４３】図４２におけるXXXXIII−XXXXIII線に沿った断面構成を説明するための図である。
【図４４】第一及び第二内部電極を示す平面図である。
【図４５】第一及び第二内部電極を示す平面図である。
【図４６】素体内での、各内部導体及び各内部電極の位置を示す分解斜視図である。
【図４７】素体内での、各内部導体及び各内部電極の位置を示す分解斜視図である。
【図４８】本実施形態の変形例に係る積層コンデンサを示す斜視図である。
【図４９】本実施形態の変形例に係る積層コンデンサを示す斜視図である。
【発明を実施するための形態】
【００２９】
以下、添付図面を参照して、本発明の好適な実施形態について詳細に説明する。なお、説明において、同一要素又は同一機能を有する要素には、同一符号を用いることとし、重複する説明は省略する。
【００３０】
図１〜図４を参照して、本実施形態に係る積層コンデンサＣ１の構成を説明する。図１は、本実施形態に係る積層コンデンサを示す斜視図である。図２は、図１におけるII−II線に沿った断面構成を説明するための図である。図３は、本実施形態に係る積層コンデンサの、第一端子電極を含む断面構成を説明するための図である。図４は、本実施形態に係る積層コンデンサの、第二端子電極を含む断面構成を説明するための図である。
【００３１】
積層コンデンサＣ１は、図１〜図４に示されるように、素体２と、素体２の外表面に配置される第一及び第二端子電極３，４並びに第一及び第二外部導体７，８と、を備えている。第一及び第二端子電極３，４並びに第一及び第二外部導体７，８は、素体２の外表面上において、それぞれ離間している。
【００３２】
素体２は、略直方体形状を呈している。素体２は、その外表面として、互いに対向する略長方形状の第一及び第二主面２ａ，２ｂと、互いに対向する第一及び第二側面２ｃ，２ｄと、互いに対向する第三及び第四側面２ｅ，２ｆと、を有している。素体２の長手方向は、第三側面２ｅと第四側面２ｆとの対向方向である。素体２の幅方向は、第一側面２ｃと第二側面２ｄとの対向方向である。素体２の高さ方向は、第一主面２ａと第二主面２ｂとの対向方向である。
【００３３】
素体２は、長手方向の長さ（Ｌ）と幅方向の長さ（Ｗ）とに比して、高さ方向の長さ（Ｈ）が小さく設定されている。長手方向の長さ（Ｌ）は、たとえば、０．４〜１．６ｍｍ程度に設定される。幅方向の長さ（Ｗ）は、たとえば、０．２〜０．８ｍｍ程度に設定される。高さ方向の長さ（Ｈ）は、たとえば、０．１〜０．３５ｍｍ程度に設定される。積層コンデンサＣ１は、超低背型の積層コンデンサである。
【００３４】
第一及び第二側面２ｃ，２ｄは、第一及び第二主面２ａ，２ｂの間を連結するように第一主面２ａと第二主面２ｂとの対向方向に延びている。第一及び第二側面２ｃ，２ｄは、第三側面２ｅと第四側面２ｆとの対向方向（第一及び第二主面２ａ，２ｂの長辺方向）にも延びている。第三及び第四側面２ｅ，２ｆは、第一及び第二主面２ａ，２ｂの間を連結するように第一主面２ａと第二主面２ｂとの対向方向に延びている。第三及び第四側面２ｅ，２ｆは、第一側面２ｃと第二側面２ｄとの対向方向（第一及び第二主面２ａ，２ｂの短辺方向）にも延びている。
【００３５】
素体２は、第一主面２ａと第二主面２ｂとの対向方向（素体２の高さ方向）に複数の誘電体層が積層されて構成されている。素体２では、複数の誘電体層の積層方向（以下、単に「積層方向」と称する。）が第一主面２ａと第二主面２ｂとの対向方向と一致する。各誘電体層は、例えば誘電体材料（ＢａＴｉＯ３系、Ｂａ(Ｔｉ，Ｚｒ)Ｏ３系、又は（Ｂａ，Ｃａ）ＴｉＯ３系などの誘電体セラミック）を含むセラミックグリーンシートの焼結体から構成される。実際の素体２では、各誘電体層は、各誘電体層の間の境界が視認できない程度に一体化されている。
【００３６】
積層コンデンサＣ１は、図２〜図４に示されるように、複数の第一内部電極１１と、複数の第二内部電極１３と、複数の第一内部導体２１と、複数の第二内部導体２３と、を備えている。第一及び第二内部電極１１，１３並びに第一及び第二内部導体２１，２３は、積層型の電気素子の内部電極として通常用いられる導電性材料（たとえば、Ｎｉ又はＣｕなど）からなる。第一及び第二内部電極１１，１３並びに第一及び第二内部導体２１，２３は、上記導電性材料を含む導電性ペーストの焼結体として構成される。
【００３７】
第一内部電極１１と第二内部電極１３とは、素体２の高さ方向において異なる位置（層）に配置されている。すなわち、第一内部電極１１と第二内部電極１３とは、素体２内において、素体２の高さ方向に間隔を有して対向するように交互に配置されている。第一内部電極１１と第二内部電極１３とは、互いに極性が異なる。
【００３８】
各第一内部電極１１は、図５の（ａ）に示されるように、主電極部１１ａと、引出部１１ｂと、を含んでいる。引出部１１ｂは、主電極部１１ａの一辺から延び、第三側面２ｅに露出している。第一内部電極１１は、第三側面２ｅのみに露出している。主電極部１１ａと、引出部１１ｂとは、一体的に形成されている。
【００３９】
主電極部１１ａは、第三側面２ｅと第四側面２ｆとの対向方向を長辺方向とし、第一側面２ｃと第二側面２ｄとの対向方向を短辺方向とする矩形形状を呈している。引出部１１ｂは、主電極部１１ａの第三側面２ｅ側の端部から第三側面２ｅまで延びている。引出部１１ｂは、その端が第三側面２ｅに露出し、当該露出した端部で第一外部導体７に接続されている。
【００４０】
各第二内部電極１３は、図５の（ｂ）に示されるように、主電極部１３ａと、引出部１３ｂと、を含んでいる。主電極部１３ａは、第一主面２ａと第二主面２ｂとの対向方向で、主電極部１１ａと対向している。引出部１３ｂは、主電極部１３ａの一辺から延び、第四側面２ｆに露出している。第二内部電極１３は、第四側面２ｆのみに露出している。主電極部１３ａと、引出部１３ｂとは、一体的に形成されている。
【００４１】
主電極部１３ａは、第三側面２ｅと第四側面２ｆとの対向方向を長辺方向とし、第一側面２ｃと第二側面２ｄとの対向方向を短辺方向とする矩形形状を呈している。引出部１３ｂは、主電極部１１ａの第四側面２ｆ側の端部から第四側面２ｆまで延びている。引出部１３ｂは、その端が第四側面２ｆに露出し、当該露出した端部で第二外部導体８に接続されている。
【００４２】
第一内部導体２１と第二内部導体２３とは、素体２の高さ方向において異なる位置（層）に配置されている。すなわち、第一内部導体２１と第二内部導体２３とは、素体２内において、離間して配置されている。本実施形態では、第一内部導体２１と第二内部導体２３とは、素体２の高さ方向に間隔を有して対向するように交互に配置されている。
【００４３】
各第一内部導体２１は、図６の（ａ）に示されるように、主電極部２１ａと、引出部２１ｂ，２１ｃと、を含んでいる。引出部２１ｂは、主電極部２１ａの一辺から延び、第一側面２ｃに露出している。引出部２１ｃは、主電極部１１ａの一辺から延び、第三側面２ｅに露出している。第一内部導体２１は、第一側面２ｃ及び第三側面２ｅに露出し、第一及び第二主面２ａ，２ｂ、並びに、第二及び第四側面２ｄ，２ｆには露出していない。主電極部２１ａと、引出部２１ｂ，２１ｃとは、一体的に形成されている。
【００４４】
主電極部２１ａは、第三側面２ｅと第四側面２ｆとの対向方向を長辺方向とし、第一側面２ｃと第二側面２ｄとの対向方向を短辺方向とする矩形形状を呈している。引出部２１ｂは、主電極部２１ａの第一側面２ｃ側の端部における第四側面２ｆ寄りの位置から第一側面２ｃまで延びている。引出部２１ｂは、その端が第一側面２ｃに露出し、当該露出した端部で第一端子電極３に接続されている。引出部２１ｃは、主電極部２１ａの第三側面２ｅ側の端部から第三側面２ｅまで延びている。引出部２１ｃは、その端が第三側面２ｅに露出し、当該露出した端部で第一外部導体７に接続されている。
【００４５】
各第二内部導体２３は、図６の（ｂ）に示されるように、主電極部２３ａと、引出部２３ｂ，２３ｃと、を含んでいる。主電極部２３ａは、第一主面２ａと第二主面２ｂとの対向方向で、主電極部２１ａと対向している。引出部２３ｂは、主電極部２３ａの一辺から延び、第一側面２ｃに露出している。引出部２３ｃは、主電極部２３ａの一辺から延び、第四側面２ｆに露出している。第二内部導体２３は、第一及び第四側面２ｃ，２ｆに露出し、第一及び第二主面２ａ，２ｂ、並びに、第二及び第三側面２ｄ，２ｅには露出していない。主電極部２３ａと、引出部２３ｂ，２３ｃとは、一体的に形成されている。
【００４６】
主電極部２３ａは、第三側面２ｅと第四側面２ｆとの対向方向を長辺方向とし、第一側面２ｃと第二側面２ｄとの対向方向を短辺方向とする矩形形状を呈している。引出部２３ｂは、主電極部２１ａの第一側面２ｃ側の端部における第三側面２ｅ寄りの位置から第一側面２ｃまで延びている。引出部２３ｂは、その端が第一側面２ｃに露出し、当該露出した端部で第二端子電極４に接続されている。引出部２３ｃは、主電極部２１ａの第四側面２ｆ側の端部から第四側面２ｆまで延びている。引出部２３ｃは、その端が第四側面２ｆに露出し、当該露出した端部で第二外部導体８に接続されている。
【００４７】
本実施形態では、素体２の第一主面２ａ側において、第二内部導体２３の主電極部２３ａと第一内部電極１１の主電極部１１ａとが、第一主面２ａと第二主面２ｂとの対向方向で、互いに対向している。素体２の第二主面２ｂ側において、第一内部導体２１の主電極部２１ａと第二内部電極１３の主電極部１３ａとが、第一主面２ａと第二主面２ｂとの対向方向で、互いに対向している。したがって、積層コンデンサＣ１では、主電極部１１ａ，１３ａ，２１ａ，２３ａ間において、静電容量が発生する。
【００４８】
第一端子電極３は、第一主面２ａに配置される電極部分３ａと、第一側面２ｃに配置される電極部分３ｂと、を有している。電極部分３ａと電極部分３ｂとは、素体２の稜線部分において接続されており、互いに電気的に接続されている。第一端子電極３は、第一主面２ａと第一側面２ｃとにわたって形成されている。
【００４９】
電極部分３ａは、平面視で、略矩形状を呈している。電極部分３ａは、第一主面２ａにおける、第一側面２ｃ寄りの端部側から第二側面２ｄ寄りの端部側に向けて延びるように形成されている。
【００５０】
電極部分３ｂは、第一側面２ｃの、素体２の長手方向での中央よりも、第四側面２ｆ寄りに位置している。すなわち、電極部分３ｂは、第四側面２ｆ側に位置している。電極部分３ｂは、平面視で、略矩形状を呈している。電極部分３ｂは、各引出部２１ｂの第一側面２ｃに露出した部分をすべて覆うように配置されており、引出部２１ｂは、第一端子電極３に直接的に接続される。これにより、各第一内部導体２１は、第一端子電極３に電気的に接続される。電極部分３ａと電極部分３ｂとは、素体２の長手方向での長さが同等に設定されている。
【００５１】
第二端子電極４は、第一主面２ａに配置される電極部分４ａと、第一側面２ｃに配置される電極部分４ｂと、を有している。電極部分４ａと電極部分４ｂとは、素体２の稜線部分において接続されており、互いに電気的に接続されている。第二端子電極４は、第一主面２ａと第一側面２ｃとにわたって形成されている。
【００５２】
電極部分４ａは、平面視で、略矩形状を呈している。電極部分４ａは、第一主面２ａにおける、第一側面２ｃ寄りの端部側から第二側面２ｄ寄りの端部側に向けて延びるように形成されている。
【００５３】
電極部分４ｂは、第一側面２ｃの、素体２の長手方向での中央よりも、第三側面２ｅ寄りに位置している。すなわち、電極部分４ｂは、第三側面２ｅ側に位置している。電極部分４ｂは、平面視で、略矩形状を呈している。電極部分４ｂは、各引出部２３ｂの第一側面２ｃに露出した部分をすべて覆うように配置されており、引出部２３ｂは、第二端子電極４に直接的に接続される。これにより、各第二内部導体２３は、第二端子電極４に電気的に接続される。電極部分４ａと電極部分４ｂとは、素体２の長手方向での長さが同等に設定されている。
【００５４】
第一外部導体７は、第三側面２ｅに配置されており、平面視で略矩形状を呈している。第一外部導体７は、各引出部１１ｂ，２１ｃの第三側面２ｅに露出した部分をすべて覆うように配置されており、引出部１１ｂ，２１ｃは、第一外部導体７に直接的に接続される。これにより、各第一内部電極１１と各第一内部導体２１とは、第一外部導体７に電気的に接続される。すなわち、各第一内部電極１１は、第一外部導体７及び第一内部導体２１を介してのみ、第一端子電極３に電気的に接続される。
【００５５】
第二外部導体８は、第四側面２ｆに配置されており、平面視で略矩形状を呈している。第二外部導体８は、各引出部１３ｂ，２３ｃの第四側面２ｆに露出した部分をすべて覆うように配置されており、引出部１３ｂ，２３ｃは、第二外部導体８に直接的に接続される。これにより、各第二内部電極１３と各第二内部導体２３とは、第二外部導体８に電気的に接続される。すなわち、各第二内部電極１３は、第二外部導体８及び第二内部導体２３を介してのみ、第二端子電極４に電気的に接続される。
【００５６】
第一端子電極３の電極部分３ａと第二端子電極４の電極部分４ａとは、素体２の長手方向で離間している。電極部分３ａと電極部分４ａとは、第一主面２ａ上において、素体２の長手方向で並んで位置すると共に、素体２の長手方向から見て、互いに重なる領域を有している。第一端子電極３の電極部分３ｂと第二端子電極４の電極部分４ｂとも、素体２の長手方向で離間している。電極部分３ｂと電極部分４ｂとは、第一側面２ｃ上において、素体２の長手方向で並んで位置し、隣り合っている。
【００５７】
電極部分３ａ，３ｂの第四側面２ｆ側の端部は、第四側面２ｆから離れて位置している。すなわち、素体２の第一主面２ａ及び第一側面２ｃは、第四側面２ｆ寄りの部分において、露出している。電極部分４ａ，４ｂの第三側面２ｅ側の端部は、第三側面２ｅから離れて位置している。すなわち、素体２の第一主面２ａ及び第一側面２ｃは、第三側面２ｅ寄りの部分において、露出している。
【００５８】
第一及び第二外部導体７，８は、素体２の高さ方向において、対応する側面２ｅ，２ｆと第一及び第二主面２ａ，２ｂとの稜線部分まで延びている。すなわち、第一及び第二外部導体７，８は、素体２の高さ方向での長さが、対応する側面２ｅ，２ｆの素体２の高さ方向での長さと同等に設定されている。第一及び第二外部導体７，８の第一及び第二側面２ｃ，２ｄ側の各端部は、第一及び第二側面２ｃ，２ｄから離れて位置している。すなわち、素体２の第三及び第四側面２ｅ，２ｆは、第一及び第二側面２ｃ，２ｄ寄りの部分において、露出している。
【００５９】
第一及び第二内部導体２１，２３は、ＥＳＲ制御部を構成する。ＥＳＲ制御部は、積層コンデンサＣ１のＥＳＲの増加などの制御を行う。第一及び第二内部電極１１，１３は、静電容量部を構成する。静電容量部は、積層コンデンサＣ１の静電容量に主として寄与する。本実施形態では、積層コンデンサＣ１には、一対のＥＳＲ制御部が含まれており、静電容量部は、一対のＥＳＲ制御部の挟まれるように位置している。
【００６０】
素体２の第二主面２ｂ及び第二側面２ｄには、端子電極３，４及び外部導体７，８は配置されていない。このため、素体２の第二主面２ｂ及び第二側面２ｄは、露出している。
【００６１】
第一及び第二端子電極３，４並びに第一及び第二外部導体７，８は、第一電極層２５と第二電極層２７とをそれぞれ含んでいる。すなわち、電極部分３ａ，３ｂと電極部分４ａ，４ｂとが、第一電極層２５と第二電極層２７とをそれぞれ含んでいる。
【００６２】
第一電極層２５は、導電性ペーストを素体２の表面に付与して焼き付けることにより形成されている。すなわち、第一電極層２５は、焼付電極層である。導電性ペーストには、金属（たとえば、Ｃｕ、Ｎｉ、Ａｇ、又はＰｄなど）からなる粉末に、ガラス成分、有機バインダ、及び有機溶剤を混合したものが用いられている。
【００６３】
第二電極層２７は、第一電極層２５上にめっき法により形成されている。本実施形態において、第二電極層２７は、第一電極層２５上にＮｉめっきにより形成されたＮｉめっき層と、当該Ｎｉめっき層上にＳｎめっきにより形成されたＳｎめっき層とを含んでいる。第二電極層２７は、第一電極層２５上にＣｕめっきにより形成されたＣｕめっき層であってもよい。第二電極層２７は、省略してもよい。
【００６４】
以上のように、本実施形態では、第一内部電極１１が第一外部導体７のみに接続され、第二内部電極１３が第二外部導体８のみに接続され、第一内部導体２１が第一端子電極３及び第一外部導体７に接続され、第二内部導体２３が第二端子電極４及び第二外部導体８に接続されている。第一内部電極１１が接続された第一外部導体７が第一端子電極３に直列に接続され、第二内部電極１３が接続された第二外部導体８が第二端子電極４に直列に接続されるので、積層コンデンサＣ１の高ＥＳＲ化を図ることができる。
【００６５】
本実施形態では、素体２における、長手方向の長さ及び幅方向の長さに比して高さ方向の長さが小さく設定されており、積層コンデンサＣ１の低背化が図られている。第一及び第二端子電極３，４は、素体２の第一主面２ａに配置された電極部分３ａ，４ａをそれぞれ有している。したがって、積層コンデンサＣ１は、素体２の第一主面２ａ側において、基板に形成された配線と電気的に接続可能となり、容易に基板へ内蔵することができる。
【００６６】
第一及び第二端子電極３，４の、第一主面２ａに配置された電極部分３ａ，４ａは、第一主面２ａにおいて、素体２の長手方向に並んで位置すると共に素体２の幅方向に延びているため、各電極部分３ａ，４ａの面積を比較的大きく設定することができる。したがって、第一及び第二端子電極３，４と基板の配線との接続性が向上する。
【００６７】
積層コンデンサＣ１では、素体２の第二主面２ｂが露出しており、この第二主面２ｂには、第一及び第二端子電極３，４が配置されない。したがって、積層コンデンサＣ１の、素体２の高さ方向での長さが増加することはない。この結果、積層コンデンサＣ１の低背化を容易に図ることができる。
【００６８】
本実施形態では、互いに異極性となる第一端子電極３と第二端子電極４とは、第一側面２ｃに配置される電極部分３ｂ，４ｂを有するため、第一端子電極３に対する電流による磁界と第二端子電極４に対する電流による磁界とが相殺される。したがって、積層コンデンサＣ１では、上記磁界の相殺により、低ＥＳＬ化が図られる。
【００６９】
積層コンデンサＣ１は、図７に示されるように、基板３０に埋め込まれて実装される。すなわち、積層コンデンサＣ１は、基板３０に内蔵される。図７は、本実施形態に係る積層コンデンサの実装構造を説明するための図である。
【００７０】
基板３０は、複数の絶縁層３１が積層されることにより構成されている。絶縁層３１は、セラミック又は樹脂などの絶縁性材料からなり、接着などにより互いに一体化されている。積層コンデンサＣ１は、基板３０に形成された収容部３０ａに配置されており、収容部３０ａに充填された樹脂３２により、基板３０に対して固定されている。これにより、積層コンデンサＣ１が、基板３０内に埋め込まれる。
【００７１】
積層コンデンサＣ１は、基板３０の表面に配置された電極３３，３４と、ビア導体４３，４４を通して、電気的に接続されている。すなわち、第一端子電極３は、ビア導体４３を通して電極３３と電気的に接続され、第二端子電極４は、ビア導体４４を通して電極３４と電気的に接続されている。第一端子電極３の電極部分３ａは、ビア導体４３と接続されている。第二端子電極４の電極部分４ａは、ビア導体４４と接続されている。第一及び第二外部導体７，８は、ビア導体と電気的に接続されていない。
【００７２】
各電極部分３ａ，４ａは、上述したように、素体２の幅方向での長さが比較的大きく、各電極部分３ａ，４ａの面積が大きく設定されている。このため、電極部分３ａ，４ａとビア導体４３，４４とを確実に接続することができる。
【００７３】
ビア導体４３，４４は、基板３０に形成されたビアホール内に導電性金属（たとえば、Ｃｕなど）を無電解めっきなどにより成長させることにより、形成される。ビアホールは、レーザ加工などにより、基板３０の表面側から積層コンデンサＣ１の第一及び第二端子電極３，４の電極部分３ａ，４ａに達するように形成される。
【００７４】
積層コンデンサＣ１では、電極部分３ａ，４ａは、焼付電極層としての第一電極層２５と、めっき層としての第二電極層２７と、を有している。したがって、ビアホールに形成されるビア導体４３，４４と電極部分３ａ，４ａとを確実に接続することができる。特に、ビア導体４３，４４がめっきにより形成される場合、ビア導体４３，４４と電極部分３ａ，４ａとが、より一層確実に接続される。
【００７５】
次に、図８を参照して、積層コンデンサＣ１の変形例の構成を説明する。図８は、本変形例に係る積層コンデンサを示す斜視図である。
【００７６】
電極部分３ａ，３ｂの第四側面２ｆ側の端部は、第四側面２ｆと第一主面２ａ及び第一側面２ｃとの稜線部分まで延びている。電極部分４ａ，４ｂの第三側面２ｅ側の端部は、第三側面２ｅと第一主面２ａ及び第一側面２ｃとの稜線部分まで延びている。第一及び第二接続導体７，８の第一主面２ａ側の端部は、第一主面２ａから離れて位置している。第一及び第二接続導体７，８の第二主面２ｂ側の端部は、第二主面２ｂから離れて位置している。
【００７７】
本変形例では、電極部分３ａが第四側面２ｆまで延び、電極部分４ａが第三側面２ｅまで延びている。このため、各電極部分３ａ，４ａの面積が大きく設定されることとなり、電極部分３ａ，４ａとビア導体４３，４４とを確実に接続することができる。
【００７８】
次に、図９を参照して、積層コンデンサＣ１の変形例の構成を説明する。図９は、本変形例に係る積層コンデンサを示す斜視図である。
【００７９】
第一及び第二端子電極３，４において、第一側面２ｃに配置される電極部分３ｂ，４ｂの、素体２の長手方向での長さ（幅）は、第一主面２ａに配置される電極部分３ａ，４ａの、素体２の長手方向での長さ（幅）に比して小さく設定されている。本変形例では、各引出部２１ｂ，２３ｂ（図９では不図示）の素体２の長手方向での長さは、対応する電極部分３ｂ，４ｂから引出部２１ｂ，２３ｂの端部が露出しないように設定されている。これにより、第一端子電極３に接続される引出部２１ｂ及び第二端子電極４に接続される引出部２３ｂの幅（素体２の長手方向での長さ）が狭く設定されるため、積層コンデンサＣ１は、より一層高ＥＳＲ化が図られる。
【００８０】
本変形例では、電極部分３ｂ，４ｂと素体２との接触面積が必要以上に大きくなるのが抑制され、素体２に各端子電極３，４を形成した際に生じる応力が減少し、素体２にクラックなどの構造欠陥が生じるのを防ぐことができる。素体２に生じる応力は、第一及び第二端子電極３，４が、素体２に形成された焼付電極層２５を含んでいる場合、顕著に生じ易い。したがって、第一及び第二端子電極３，４が、焼付電極層２５を含んでいる構成において、特に、有効である。
【００８１】
次に、図１０及び図１１を参照して、積層コンデンサＣ１の変形例の構成を説明する。図１０は、本変形例に係る積層コンデンサを示す斜視図である。図１１は、本変形例に係る積層コンデンサの、第二端子電極を含む断面構成を説明するための図である。
【００８２】
各第二内部導体２３は、図１２に示されるように、主電極部２３ａと、引出部２３ｂ，２３ｃと、を含んでいる。引出部２３ｂは、主電極部２３ａの一辺から延び、第二側面２ｄに露出している。第二内部導体２３は、第二及び第四側面２ｄ，２ｆに露出し、第一及び第二主面２ａ，２ｂ、並びに、第一及び第三側面２ｃ，２ｅには露出していない。引出部２３ｂは、主電極部２１ａの第二側面２ｄ側の端部における第三側面２ｅ寄りの位置から第二側面２ｄまで延びている。
【００８３】
第二端子電極４は、第一主面２ａに配置される電極部分４ａと、第二側面２ｄに配置される電極部分４ｂと、を有している。第二端子電極４は、第一主面２ａと第二側面２ｄとにわたって形成されている。電極部分４ｂは、第二側面２ｄの、素体２の長手方向での中央よりも、第三側面２ｅ寄りに位置している。電極部分４ｂは、各引出部２３ｂの第二側面２ｄに露出した部分をすべて覆うように配置されており、引出部２３ｂは、第二端子電極４に直接的に接続される。
【００８４】
次に、図１３〜図１７を参照して、本実施形態の変形例に係る積層コンデンサＣ２の構成を説明する。図１３及び図１４は、本変形例に係る積層コンデンサを示す斜視図である。図１５は、図１３におけるXV−XV線に沿った断面構成を説明するための図である。図１６は、図１３におけるXVI−XVI線に沿った断面構成を説明するための図である。図１７は、図１３におけるXVII−XVII線に沿った断面構成を説明するための図である。
【００８５】
積層コンデンサＣ２も、図１３〜図１７に示されるように、素体２と、第一及び第二端子電極３，４と、第一及び第二外部導体７，８と、それぞれ複数の第一及び第二内部電極１１，１３と、それぞれ複数の第一及び第二内部導体２１，２３と、を備えている。
【００８６】
第一端子電極３は、第一主面２ａに配置される電極部分３ａと、第一側面２ｃに配置される電極部分３ｂと、を有している。電極部分３ａは、平面視で、第三側面２ｅと第四側面２ｆとの対向方向を長辺方向とし、第一側面２ｃと第二側面２ｄとの対向方向を短辺方向とする矩形形状を呈している。電極部分３ａの第二側面２ｄ側の端部は、第二側面２ｄから離れて位置している。
【００８７】
第二端子電極４は、第二主面２ｂに配置される電極部分４ａと、第二側面２ｄに配置される電極部分４ｂと、を有している。電極部分４ａは、平面視で、第三側面２ｅと第四側面２ｆとの対向方向を長辺方向とし、第一側面２ｃと第二側面２ｄとの対向方向を短辺方向とする矩形形状を呈している。電極部分４ａの第一側面２ｃ側の端部は、第一側面２ｃから離れて位置している。
【００８８】
以上のように、本変形例では、素体２における、長手方向の長さ及び幅方向の長さに比して高さ方向の長さが小さく設定されており、積層コンデンサＣ２の低背化が図られている。第一端子電極３は、素体２の第一主面２ａに配置された電極部分３ａを有し、第二端子電極４は、素体２の第二主面２ｂに配置された電極部分４ａを有している。したがって、積層コンデンサＣ２は、素体２の第一及び第二主面２ａ，２ｂ側において、基板に形成された配線と電気的に接続可能となり、容易に基板へ内蔵することができる。
【００８９】
第一端子電極３の電極部分３ａと第二端子電極４の電極部分４ａとが、それぞれ異なる主面２ａ，２ｂに配置されている。これにより、各電極部分３ａ，４ａの面積をより一層大きく設定することができる。したがって、第一及び第二端子電極３，４と基板の配線との接続性が更に向上する。
【００９０】
積層コンデンサＣ２は、図１８に示されるように、基板３０に埋め込まれて実装される。すなわち、積層コンデンサＣ２は、基板３０に内蔵される。図１８は、本実施形態の変形例に係る積層コンデンサの実装構造を説明するための図である。
【００９１】
積層コンデンサＣ２は、基板３０に形成された収容部３０ａに配置されており、収容部３０ａに充填された樹脂３２により、基板３０に対して固定されている。これにより、積層コンデンサＣ２が、基板３０内に埋め込まれる。積層コンデンサＣ２は、基板３０の表面に配置された電極３３，３４と、ビア導体４３，４４を通して、電気的に接続されている。
【００９２】
各電極部分３ａ，４ａは、上述したように、その面積が極めて大きく設定されている。したがって、電極部分３ａ，４ａとビア導体４３，４４とを確実に接続することができる。
【００９３】
図１９〜図２２を参照して、本実施形態の変形例に係る積層コンデンサＣ３の構成を説明する。図１９は、本変形例に係る積層コンデンサを示す斜視図である。図２０は、図１９におけるXX−XX線に沿った断面構成を説明するための図である。図２１は、本変形例に係る積層コンデンサの、第一及び第四端子電極を含む断面構成を説明するための図である。図２２は、本変形例に係る積層コンデンサの、第二及び第三端子電極を含む断面構成を説明するための図である。
【００９４】
積層コンデンサＣ３は、図１９〜図２２に示されるように、素体２と、素体２の外表面に配置される第一〜第四端子電極３〜６並びに第一及び第二外部導体７，８と、それぞれ複数の第一及び第二内部電極１１，１３と、それぞれ複数の第一及び第二内部導体２１，２３と、を備えている。第一〜第四端子電極３〜６並びに第一及び第二外部導体７，８は、素体２の外表面上において、それぞれ離間している。
【００９５】
各第一内部導体２１は、図２３の（ａ）に示されるように、主電極部２１ａと、引出部２１ｂ，２１ｃ，２１ｄと、を含んでいる。引出部２１ｄは、主電極部２１ａの一辺から延び、第二側面２ｄに露出している。引出部２１ｄは、主電極部２１ａの第二側面２ｄ側の端部における第三側面２ｅ寄りの位置から第二側面２ｄまで延びている。引出部２１ｄは、その端が第二側面２ｄに露出し、当該露出した端部で第三端子電極５に接続されている。第一内部電極１１は、第一〜第三側面２ｃ，２ｄ，２ｅに露出し、第一及び第二主面２ａ，２ｂと第四側面２ｆとには露出していない。主電極部２１ａと、引出部２１ｂ，２１ｃ，２１ｄとは、一体的に形成されている。
【００９６】
各第二内部導体２３は、図２３の（ｂ）に示されるように、主電極部２３ａと、引出部２３ｂ，２３ｃ，２３ｄと、を含んでいる。引出部２３ｄは、主電極部２３ａの一辺から延び、第二側面２ｄに露出している。引出部２３ｄは、主電極部２１ａの第二側面２ｄ側の端部における第四側面２ｆ寄りの位置から第二側面２ｄまで延びている。引出部２３ｄは、その端が第二側面２ｄに露出し、当該露出した端部で第四端子電極６に接続されている。第二内部導体２３は、第一、第二及び第四側面２ｃ，２ｄ，２ｆに露出し、第一及び第二主面２ａ，２ｂと第三側面２ｅとには露出していない。主電極部２３ａと、引出部２３ｂ，２３ｃとは、一体的に形成されている。
【００９７】
第一端子電極３は、第一主面２ａに配置される電極部分３ａと、第一側面２ｃに配置される電極部分３ｂと、を有している。電極部分３ａの素体２の長手方向での長さは、電極部分３ｂの素体２の長手方向での長さよりも小さく設定されている。第二端子電極４は、第一主面２ａに配置される電極部分４ａと、第一側面２ｃに配置される電極部分４ｂと、を有している。電極部分４ａの素体２の長手方向での長さは、電極部分４ｂの素体２の長手方向での長さよりも小さく設定されている。
【００９８】
第三端子電極５は、第一主面２ａに配置される電極部分５ａと、第二側面２ｄに配置される電極部分５ｂと、を有している。電極部分５ａと電極部分５ｂとは、素体２の稜線部分において接続されており、互いに電気的に接続されている。第三端子電極５は、第一主面２ａと第二側面２ｄとにわたって形成されている。
【００９９】
電極部分５ａは、平面視で、略矩形状を呈している。電極部分５ａは、第一主面２ａにおける、第二側面２ｄ寄りの端部側から第一側面２ｃ寄りの端部側に向けて延びるように形成されている。電極部分５ａの素体２の幅方向での長さは、素体２の幅方向での長さよりも小さく設定されている。
【０１００】
電極部分５ｂは、第二側面２ｄの、素体２の長手方向での中央よりも、第三側面２ｅ寄りに位置している。すなわち、電極部分５ｂは、第三側面２ｅ側に位置している。電極部分５ｂは、平面視で、略矩形状を呈している。電極部分５ｂは、各引出部２１ｄの第二側面２ｄに露出した部分をすべて覆うように配置されており、引出部２１ｄは、第三端子電極５に直接的に接続される。これにより、各第一内部導体２１は、第三端子電極５にも電気的に接続される。電極部分５ａの素体２の長手方向での長さは、電極部分５ｂの素体２の長手方向での長さよりも小さく設定されている。
【０１０１】
第四端子電極６は、第一主面２ａに配置される電極部分６ａと、第二側面２ｄに配置される電極部分６ｂと、を有している。電極部分６ａと電極部分６ｂとは、素体２の稜線部分において接続されており、互いに電気的に接続されている。第四端子電極６は、第一主面２ａと第二側面２ｄとにわたって形成されている。
【０１０２】
電極部分６ａは、平面視で、略矩形状を呈している。電極部分６ａは、第一主面２ａにおける、第二側面２ｄ寄りの端部側から第一側面２ｃ寄りの端部側に向けて延びるように形成されている。電極部分６ａの素体２の幅方向での長さは、素体２の幅方向での長さよりも小さく設定されている。
【０１０３】
電極部分６ｂは、第二側面２ｄの、素体２の長手方向での中央よりも、第四側面２ｆ寄りに位置している。すなわち、電極部分６ｂは、第四側面２ｆ側に位置している。電極部分６ｂは、平面視で、略矩形状を呈している。電極部分６ｂは、各引出部２３ｄの第二側面２ｄに露出した部分をすべて覆うように配置されており、引出部２３ｄは、第四端子電極６に直接的に接続される。これにより、各第二内部導体２３は、第四端子電極６にも電気的に接続される。電極部分６ａの素体２の長手方向での長さは、電極部分６ｂの素体２の長手方向での長さよりも小さく設定されている。
【０１０４】
電極部分３ａ〜６ａは、第一主面２ａにおいて、第三側面２ｅから第四側面２ｆに向かう方向で、電極部分４ａ、電極部分５ａ、電極部分３ａ、電極部分６ａの順で配置されている。すなわち、電極部分３ａ〜６ａは、第一主面２ａ上において、素体２の長手方向で並んで位置している。
【０１０５】
電極部分４ａと電極部分５ａとは、第一主面２ａ上において、素体２の長手方向に並んで位置すると共に、素体２の長手方向から見て、互いに重なる領域を有している。電極部分５ａと電極部分３ａとは、第一主面２ａ上において、素体２の長手方向に並んで位置すると共に、素体２の長手方向から見て、互いに重なる領域を有している。電極部分３ａと電極部分６ａとも、第一主面２ａ上において、素体２の長手方向に並んで位置すると共に、素体２の長手方向から見て、互いに重なる領域を有している。
【０１０６】
電極部分３ｂと電極部分４ｂとは、素体２の長手方向で隣り合っている。電極部分５ｂと電極部分６ｂとは、素体２の長手方向で隣り合っている。
【０１０７】
素体２の第二主面２ｂには、端子電極３〜６及び外部導体７，８は配置されていない。このため、素体２の第二主面２ｂは、露出している。
【０１０８】
第一〜第四端子電極３〜６は、第一電極層２５と第二電極層２７とをそれぞれ含んでいる。すなわち、各電極部分３ａ〜６ａ，３ｂ〜６ｂが、第一電極層２５と第二電極層２７とをそれぞれ含んでいる。
【０１０９】
以上のように、本変形例においても、第一内部電極１１が接続された第一外部導体７が第一端子電極３に直列に接続され、第二内部電極１３が接続された第二外部導体８が第二端子電極４に直列に接続されるので、積層コンデンサＣ３の高ＥＳＲ化を図ることができる。
【０１１０】
本変形例でも、素体２における、長手方向の長さ及び幅方向の長さに比して高さ方向の長さが小さく設定されており、積層コンデンサＣ３の低背化が図られている。第一〜第四端子電極３〜６は、素体２の第一主面２ａに配置された電極部分３ａ〜６ａをそれぞれ有している。したがって、積層コンデンサＣ３は、素体２の第一主面２ａ側において、基板に形成された配線と電気的に接続可能となり、容易に基板へ内蔵することができる。
【０１１１】
第一〜第四端子電極３〜６の、第一主面２ａに配置された電極部分３ａ〜６ａは、第一主面２ａにおいて、素体２の長手方向に並んで位置すると共に素体２の幅方向に延びているため、各電極部分３ａ〜６ａの面積を比較的大きく設定することができる。したがって、第一〜第四端子電極３〜６と基板の配線との接続性が向上する。
【０１１２】
積層コンデンサＣ３では、素体２の第二主面２ｂが露出しており、この第二主面２ｂには、端子電極３〜６及び外部導体７，８が配置されない。したがって、積層コンデンサＣ３の、素体２の高さ方向での長さが増加することはない。これらの結果、積層コンデンサＣ３の小型化及び低背化を容易に図ることができる。
【０１１３】
互いに異極性となる第一端子電極３と第二端子電極４とは、第一側面２ｃに配置される電極部分３ｂ，４ｂを有するため、第一端子電極３に対する電流による磁界と第二端子電極４に対する電流による磁界とが相殺される。互いに異極性となる第三端子電極５と第四端子電極６とは、第二側面２ｄに配置される電極部分５ｂ，６ｂを有するため、第三端子電極５に対する電流による磁界と第四端子電極６に対する電流による磁界とが相殺される。したがって、積層コンデンサＣ３では、上記磁界の相殺により、低ＥＳＬ化が図られる。
【０１１４】
積層コンデンサＣ３は、図２４に示されるように、基板３０に埋め込まれて実装される。すなわち、積層コンデンサＣ３は、基板３０に内蔵される。図２４は、本実施形態の変形例に係る積層コンデンサの実装構造を説明するための図である。
【０１１５】
積層コンデンサＣ３は、基板３０に形成された収容部３０ａに配置されており、収容部３０ａに充填された樹脂３２により、基板３０に対して固定されている。これにより、積層コンデンサＣ３が、基板３０内に埋め込まれる。積層コンデンサＣ３は、基板３０の表面に配置された電極３３〜３６と、ビア導体４３〜４６を通して、電気的に接続されている。第三端子電極５は、ビア導体４５を通して電極３５と電気的に接続され、第四端子電極６は、ビア導体４６を通して電極３６と電気的に接続されている。第三端子電極５の電極部分５ａは、ビア導体４５と接続されている。第四端子電極６の電極部分６ａは、ビア導体４６と接続されている。
【０１１６】
各電極部分３ａ〜６ａは、上述したように、素体２の幅方向での長さが比較的大きく、各電極部分３ａ〜６ａの面積が大きく設定されている。このため、電極部分３ａ〜６ａとビア導体４３〜４６とを確実に接続することができる。
【０１１７】
積層コンデンサＣ３では、図２５に示されるように、電極部分３ａを流れる電流と電極部分５ａを流れる電流とが互いに逆向きに流れる。この結果、電極部分３ａを流れる電流による磁界と、電極部分５ａを流れる電流による磁界と、が相殺され易く、ＥＳＬが更に低減される。図２５中の矢印は、第一及び第三端子電極３，５を陽極とすると共に第二及び第四端子電極４，６を陰極とした場合における電流の向きを表す。第一及び第三端子電極３，５を陰極とすると共に第二及び第四端子電極４，６を陽極とした場合でも、ＥＳＬが更に低減される。
【０１１８】
図２５の（ａ）と（ｂ）とでは、電極部分３ａ〜６ａとビア導体４３〜４６との接続位置が異なる。図２５の（ａ）では、電極部分３ａ〜６ａとビア導体４３〜４６との接続位置は、素体２の幅方向での略中央に設定されている。図２５の（ｂ）では、電極部分３ａ，６ａとビア導体４３，４６との接続位置は、素体２の幅方向で第二側面２ｄ寄りに設定され、電極部分４ａ，５ａとビア導体４４，４５との接続位置は、素体２の幅方向で第一側面２ｃ寄りに設定されている。電極部分６ａとビア導体４６との接続位置は、電極部分３ａとビア導体４３との接続位置よりも、第二側面２ｄ寄りに設定されている。電極部分４ａとビア導体４４との接続位置は、電極部分５ａとビア導体４５との接続位置よりも、素体２の幅方向で第一側面２ｃ寄りに設定されている。
【０１１９】
図２５の（ｂ）に示された積層コンデンサＣ３では、図２５の（ａ）に示された積層コンデンサＣ３に比して、電極部分３ａを流れる電流による磁界と電極部分５ａを流れる電流による磁界との相殺度合いが大きい。したがって、図２５の（ｂ）に示された積層コンデンサＣ３は、図２５の（ａ）に示された積層コンデンサＣ３に比して、ＥＳＬが低減される。
【０１２０】
次に、図２６を参照して、積層コンデンサＣ３の変形例の構成を説明する。図２６は、本変形例に係る積層コンデンサを示す斜視図である。
【０１２１】
本変形例では、電極部分３ａ〜６ａは、第一主面２ａにおいて、第三側面２ｅから第四側面２ｆに向かう方向で、電極部分５ａ、電極部分４ａ、電極部分３ａ、電極部分６ａの順で配置されている。電極部分３ａと電極部分４ａとは、第一主面２ａ上において、素体２の長手方向に並んで位置すると共に、素体２の長手方向から見て、互いに重なる領域を有している。
【０１２２】
本変形例の積層コンデンサＣ１では、図２７に示されるように、電極部分３ａを流れる電流と電極部分４ａを流れる電流とが互いに逆向きに流れる。この結果、電極部分３ａを流れる電流による磁界と、電極部分４ａを流れる電流による磁界と、が相殺され易く、ＥＳＬが更に低減される。図２７中の矢印は、第一及び第三端子電極３，５を陽極とすると共に第二及び第四端子電極４，６を陰極とした場合における電流の向きを表す。第一及び第三端子電極３，５を陰極とすると共に第二及び第四端子電極４，６を陽極とした場合でも、ＥＳＬが更に低減される。
【０１２３】
図２７の（ａ）と（ｂ）とでは、電極部分３ａ〜６ａとビア導体４３〜４６との接続位置が異なる。図２７の（ａ）では、電極部分３ａ〜６ａとビア導体４３〜４６との接続位置は、素体２の幅方向での略中央に設定されている。図２７の（ｂ）では、電極部分３ａ〜６ａとビア導体４３〜４６との接続位置は、素体２の幅方向で第二側面２ｄ寄りに設定されている。電極部分６ａとビア導体４６との接続位置は、電極部分３ａとビア導体４３との接続位置よりも、第二側面２ｄ寄りに設定されている。電極部分５ａとビア導体４５との接続位置は、電極部分４ａとビア導体４４との接続位置よりも、素体２の幅方向で第二側面２ｄ寄りに設定されている。
【０１２４】
図２７の（ｂ）に示された積層コンデンサＣ３では、図２７の（ａ）に示された積層コンデンサＣ３に比して、電極部分３ａを流れる電流による磁界と電極部分４ａを流れる電流による磁界との相殺度合いが大きい。したがって、図２７の（ｂ）に示された積層コンデンサＣ３は、図２７の（ａ）に示された積層コンデンサＣ３に比して、ＥＳＬが低減される。
【０１２５】
次に、図２８〜図３１を参照して、本実施形態の変形例に係る積層コンデンサＣ４の構成を説明する。図２８は、本変形例に係る積層コンデンサを示す斜視図である。図２９は、図２８におけるXXIX−XXIX線に沿った断面構成を説明するための図である。図３０は、本変形例に係る積層コンデンサの、第一及び第四端子電極を含む断面構成を説明するための図である。図３１は、本変形例に係る積層コンデンサの、第二及び第三端子電極を含む断面構成を説明するための図である。
【０１２６】
積層コンデンサＣ４も、図２８〜図３１に示されるように、素体２と、素体２の外表面に配置される第一〜第四端子電極３〜６並びに第一及び第二外部導体７，８と、それぞれ複数の第一及び第二内部電極１１，１３と、それぞれ複数の第一及び第二内部導体２１，２３と、を備えている。
【０１２７】
第一端子電極３は、第一主面２ａに配置される電極部分３ａと、第一側面２ｃに配置される電極部分３ｂと、を有している。電極部分３ｂの、素体２の長手方向での長さ（幅）は、電極部分３ａの、素体２の長手方向での長さ（幅）に比して小さく設定されている。
【０１２８】
第二端子電極４は、第二主面２ｂに配置される電極部分４ａと、第一側面２ｃに配置される電極部分４ｂと、を有している。電極部分４ａと電極部分４ｂとは、素体２の稜線部分において接続されており、互いに電気的に接続されている。第二端子電極４は、第二主面２ｂと第一側面２ｃとにわたって形成されている。電極部分４ａは、第二主面２ｂにおける、第一側面２ｃ寄りの端部側から第二側面２ｄ寄りの端部側に向けて延びるように形成されている。電極部分４ｂの、素体２の長手方向での長さ（幅）は、電極部分４ａの、素体２の長手方向での長さ（幅）に比して小さく設定されている。
【０１２９】
第三端子電極５は、第一主面２ａに配置される電極部分５ａと、第二側面２ｄに配置される電極部分５ｂと、を有している。電極部分５ａは、素体２を挟んで、電極部分４ａと対向している。すなわち、電極部分４ａと電極部分５ａとは、素体２の高さ方向から見て、互いに重なる領域を有している。電極部分５ｂの、素体２の長手方向での長さ（幅）は、電極部分５ａの、素体２の長手方向での長さ（幅）に比して小さく設定されている。
【０１３０】
第四端子電極６は、第二主面２ｂに配置される電極部分６ａと、第二側面２ｄに配置される電極部分６ｂと、を有している。電極部分６ａと電極部分６ｂとは、素体２の稜線部分において接続されており、互いに電気的に接続されている。第四端子電極６は、第二主面２ｂと第二側面２ｄとにわたって形成されている。電極部分６ａは、第二主面２ｂにおける、第二側面２ｄ寄りの端部側から第一側面２ｃ寄りの端部側に向けて延びるように形成されている。電極部分６ａは、素体２を挟んで、電極部分３ａと対向している。すなわち、電極部分３ａと電極部分６ａとは、素体２の高さ方向から見て、互いに重なる領域を有している。電極部分６ｂの、素体２の長手方向での長さ（幅）は、電極部分６ａの、素体２の長手方向での長さ（幅）に比して小さく設定されている。
【０１３１】
第一端子電極３の電極部分３ａと第三端子電極５の電極部分５ａとは、素体２の長手方向で離間している。第二端子電極４の電極部分４ａと第四端子電極６の電極部分６ａとは、素体２の長手方向で離間している。電極部分３ａと電極部分５ａとは、第一主面２ａ上において、素体２の長手方向で並んで位置している。電極部分３ａが第四側面２ｆ寄りに位置し、電極部分５ａが第三側面２ｅ寄りに位置している。電極部分４ａと電極部分６ａとは、第二主面２ｂ上において、素体２の長手方向で並んで位置している。電極部分４ａが第三側面２ｅ寄りに位置し、電極部分６ａが第四側面２ｆ寄りに位置している。
【０１３２】
以上のように、本変形例においても、第一内部電極１１が接続された第一外部導体７が第一端子電極３に直列に接続され、第二内部電極１３が接続された第二外部導体８が第二端子電極４に直列に接続されるので、積層コンデンサＣ４の高ＥＳＲ化を図ることができる。
【０１３３】
本変形例でも、素体２における、長手方向の長さ及び幅方向の長さに比して高さ方向の長さが小さく設定されており、積層コンデンサＣ４の低背化が図られている。第一端子電極３は、素体２の第一主面２ａに配置された電極部分３ａを有し、第二端子電極４は、素体２の第二主面２ｂに配置された電極部分４ａを有している。第三端子電極５は、素体２の第一主面２ａに配置された電極部分５ａを有し、第四端子電極６は、素体２の第二主面２ｂに配置された電極部分６ａを有している。したがって、積層コンデンサＣ４は、素体２の第一及び第二主面２ａ，２ｂ側において、基板に形成された配線と電気的に接続可能となり、容易に基板へ内蔵することができる。
【０１３４】
第一端子電極３と第三端子電極５との、第一主面２ａに配置された電極部分３ａ，５ａは、第一主面２ａにおいて、素体２の長手方向に並んで位置すると共に素体２の幅方向に延びているため、各電極部分３ａ，５ａの面積を大きく設定することができる。このため、積層コンデンサＣ４では、第一主面２ａ側において、基板の配線との接続性が向上する。第二端子電極４と第四端子電極６との、第二主面２ｂに配置された電極部分４ａ，６ａは、第二主面２ｂにおいて、素体２の長手方向に並んで位置すると共に素体２の幅方向に延びているため、各電極部分４ａ，６ａの面積を大きく設定することができる。このため、積層コンデンサＣ４では、第二主面２ｂ側においても、基板の配線との接続性が向上する。
【０１３５】
積層コンデンサＣ４は、図３２に示されるように、基板３０に埋め込まれて実装される。すなわち、積層コンデンサＣ４は、基板３０に内蔵される。図３２は、本実施形態の変形例に係る積層コンデンサの実装構造を説明するための図である。
【０１３６】
積層コンデンサＣ４は、基板３０に形成された収容部３０ａに配置されており、収容部３０ａに充填された樹脂３２により、基板３０に対して固定されている。これにより、積層コンデンサＣ４が、基板３０内に埋め込まれる。積層コンデンサＣ４は、基板３０の表面に配置された電極３３〜３６と、ビア導体４３〜４６を通して、電気的に接続されている。
【０１３７】
各電極部分３ａ〜６ａは、上述したように、その面積が大きく設定されている。したがって、電極部分３ａ〜６ａとビア導体４３〜４６とを確実に接続することができる。
【０１３８】
積層コンデンサＣ３では、図３３に示されるように、電極部分３ａを流れる電流と電極部分５ａを流れる電流とが互いに逆向きに流れると共に、電極部分４ａを流れる電流と電極部分６ａを流れる電流とが互いに逆向きに流れる。この結果、電極部分３ａを流れる電流による磁界と、電極部分５ａを流れる電流による磁界と、が相殺され易く、且つ、電極部分４ａを流れる電流による磁界と、電極部分６ａを流れる電流による磁界と、が相殺され易く、ＥＳＬが更に低減される。図３３中の矢印は、第一及び第三端子電極３，５を陽極とすると共に第二及び第四端子電極４，６を陰極とした場合における電流の向きを表す。第一及び第三端子電極３，５を陰極とすると共に第二及び第四端子電極４，６を陽極とした場合でも、ＥＳＬが更に低減される。
【０１３９】
図３３の（ａ）及び（ｂ）と（ｃ）及び（ｄ）とでは、電極部分３ａ〜６ａとビア導体４３〜４６との接続位置が異なる。図３３の（ａ）及び（ｂ）では、電極部分３ａ〜６ａとビア導体４３〜４６との接続位置は、素体２の幅方向での略中央に設定されている。図３３の（ｃ）及び（ｄ）では、電極部分３ａ，４ａとビア導体４３，４４との接続位置は、素体２の幅方向で第二側面２ｄ寄りに設定され、電極部分５ａ，６ａとビア導体４５，４６との接続位置は、素体２の幅方向で第一側面２ｃ寄りに設定されている。
【０１４０】
図３３の（ｃ）及び（ｄ）に示された積層コンデンサＣ４では、図３３の（ａ）及び（ｂ）に示された積層コンデンサＣ４に比して、電極部分３ａを流れる電流による磁界と電極部分５ａを流れる電流による磁界との相殺度合いが大きいと共に、電極部分４ａを流れる電流による磁界と電極部分６ａを流れる電流による磁界との相殺度合いが大きい。したがって、図３３の（ｃ）及び（ｄ）に示された積層コンデンサＣ４は、図３３の（ａ）及び（ｂ）に示された積層コンデンサＣ４に比して、ＥＳＬが低減される。
【０１４１】
次に、図３４〜図３６を参照して、積層コンデンサＣ４の変形例の構成を説明する。図３４は、本変形例に係る積層コンデンサを示す斜視図である。図３５は、図３４におけるXXXV−XXXV線に沿った断面構成を説明するための図である。図３６は、本変形例に係る積層コンデンサの、第二及び第三端子電極を含む断面構成を説明するための図である。第一及び第四端子電極３，６を含む断面構成は、図３０に示された断面構成と同様であり、図示を省略する。
【０１４２】
本変形例では、第二端子電極４は、第一主面２ａに配置される電極部分４ａと、第一側面２ｃに配置される電極部分４ｂと、を有している。第三端子電極５は、第二主面２ｂに配置される電極部分５ａと、第二側面２ｄに配置される電極部分５ｂと、を有している。
【０１４３】
第一端子電極３の電極部分３ａと第二端子電極４の電極部分４ａとは、素体２の長手方向で離間している。第三端子電極５の電極部分５ａと第四端子電極６の電極部分６ａとは、素体２の長手方向で離間している。電極部分３ａと電極部分４ａとは、第一主面２ａ上において、素体２の長手方向で並んで位置している。電極部分５ａと電極部分６ａとは、第二主面２ｂ上において、素体２の長手方向で並んで位置している。
【０１４４】
本変形例の積層コンデンサＣ４では、図３７に示されるように、電極部分３ａを流れる電流と電極部分４ａを流れる電流とが互いに逆向きに流れると共に、電極部分５ａを流れる電流と電極部分６ａを流れる電流とが互いに逆向きに流れる。この結果、電極部分３ａを流れる電流による磁界と、電極部分４ａを流れる電流による磁界と、が相殺され易く、且つ、電極部分５ａを流れる電流による磁界と、電極部分６ａを流れる電流による磁界と、が相殺され易く、ＥＳＬが更に低減される。図３７中の矢印は、第一及び第三端子電極３，５を陽極とすると共に第二及び第四端子電極４，６を陰極とした場合における電流の向きを表す。第一及び第三端子電極３，５を陰極とすると共に第二及び第四端子電極４，６を陽極とした場合でも、ＥＳＬが更に低減される。
【０１４５】
図３７の（ａ）及び（ｂ）と（ｃ）及び（ｄ）とでは、電極部分３ａ〜６ａとビア導体４３〜４６との接続位置が異なる。図３７の（ａ）及び（ｂ）では、電極部分３ａ〜６ａとビア導体４３〜４６との接続位置は、素体２の幅方向での略中央に設定されている。図３７の（ｃ）及び（ｄ）では、電極部分３ａ，４ａとビア導体４３，４４との接続位置は、素体２の幅方向で第二側面２ｄ寄りに設定され、電極部分５ａ，６ａとビア導体４５，４６との接続位置は、素体２の幅方向で第一側面２ｃ寄りに設定されている。
【０１４６】
図３７の（ｃ）及び（ｄ）に示された積層コンデンサＣ４では、図３７の（ａ）及び（ｂ）に示された積層コンデンサＣ４に比して、電極部分３ａを流れる電流による磁界と電極部分４ａを流れる電流による磁界との相殺度合いが大きいと共に、電極部分５ａを流れる電流による磁界と電極部分６ａを流れる電流による磁界との相殺度合いが大きい。したがって、図３７の（ｃ）及び（ｄ）に示された積層コンデンサＣ４は、図３７の（ａ）及び（ｂ）に示された積層コンデンサＣ４に比して、ＥＳＬが低減される。
【０１４７】
次に、図３８及び図３９を参照して、本実施形態の変形例に係る積層コンデンサＣ５の構成を説明する。図３８は、本変形例に係る積層コンデンサを示す斜視図である。図３９は、図３８におけるXXXIX−XXXIX線に沿った断面構成を説明するための図である。第一及び第四端子電極３，６を含む断面構成は図３０に示された断面構成と同様であり、第二及び第三端子電極４，５を含む断面構成は図３１に示された断面構成と同様であるため、それぞれの断面構成の図示を省略する。
【０１４８】
積層コンデンサＣ５は、図３８及び図３９に示されるように、素体２と、それぞれ複数の第一〜第四端子電極３〜６と、第一及び第二外部導体７，８と、それぞれ複数の第一及び第二内部電極１１，１３と、それぞれ複数の第一及び第二内部導体２１，２３と、を備えている。本変形例では、積層コンデンサＣ５は、それぞれ二つの第一〜第四端子電極３〜６を備えている。
【０１４９】
各第一内部導体２１は、図４０の（ａ）に示されるように、主電極部２１ａと、複数の引出部２１ｂと、引出部２１ｃと、複数の引出部２１ｄと、を含んでいる。第一内部導体２１は、複数の第一端子電極３（電極部分３ｂ）に対応して、第一端子電極３と同数の引出部２１ｂと、複数の第三端子電極５（電極部分５ｂ）に対応して、第三端子電極５と同数の引出部２１ｄと、を含んでいる。したがって、本変形例では、第一内部導体２１は、それぞれ二つの引出部２１ｂ，２１ｄを含んでいる。各引出部２１ｂは、主電極部２１ａの一辺から延び、第一側面２ｃに露出している。各引出部２１ｄは、主電極部２１ａの一辺から延び、第二側面２ｄに露出している。二つの引出部２１ｂは、素体２の長手方向で離れて位置している。二つの引出部２１ｄも、素体２の長手方向で離れて位置している。
【０１５０】
各第二内部導体２３は、図４０の（ｂ）に示されるように、主電極部２３ａと、複数の引出部２３ｂと、引出部２３ｃと、複数の引出部２３ｄと、を含んでいる。第二内部導体２３は、複数の第二端子電極４（電極部分４ｂ）に対応して、第二端子電極４と同数の引出部２３ｂと、複数の第四端子電極６（電極部分６ｂ）に対応して、第四端子電極６と同数の引出部２３ｄと、を含んでいる。したがって、本変形例では、第二内部導体２３は、それぞれ二つの引出部２３ｂ，２３ｄを含んでいる。各引出部２３ｂは、主電極部２３ａの一辺から延び、第一側面２ｃに露出している。各引出部２３ｄは、主電極部２３ａの一辺から延び、第二側面２ｄに露出している。二つの引出部２３ｂは、素体２の長手方向で離れて位置している。二つの引出部２３ｄも、素体２の長手方向で離れて位置している。
【０１５１】
第一端子電極３の電極部分３ｂと第二端子電極４の電極部分４ｂとは、第一側面２ｃにおいて、素体２の長手方向で交互に位置している。すなわち、電極部分３ｂ，４ｂとは、第一側面２ｃにおいて、第三側面２ｅから第四側面２ｆに向かう方向で、電極部分６ｂ、電極部分５ｂ、電極部分６ｂ、電極部分５ｂの順で位置している。第三端子電極５の電極部分５ｂと第四端子電極６の電極部分６ｂとは、第二側面２ｄにおいて、素体２の長手方向で交互に位置している。すなわち、電極部分５ｂ，６ｂとは、第二側面２ｄにおいて、第三側面２ｅから第四側面２ｆに向かう方向で、電極部分５ｂ、電極部分６ｂ、電極部分５ｂ、電極部分６ｂの順で位置している。
【０１５２】
以上のように、本変形例においても、第一内部電極１１が接続された第一外部導体７が第一端子電極３に直列に接続され、第二内部電極１３が接続された第二外部導体８が第二端子電極４に直列に接続されるので、積層コンデンサＣ５の高ＥＳＲ化を図ることができる。
【０１５３】
積層コンデンサＣ５は、低背化が図られていると共に、素体２の第一及び第二主面２ａ，２ｂ側において、基板に形成された配線と電気的に接続可能である。したがって、積層コンデンサＣ５は、容易に基板へ内蔵することができる。
【０１５４】
本変形例では、それぞれ複数の第一端子電極３と第二端子電極４とが有する電極部分３ｂ，４ｂは、第一側面２ｃにおいて、素体２の長手方向で交互に位置し、それぞれ複数の第三端子電極５と第四端子電極６とが有する電極部分５ｂ，６ｂは、第二側面２ｄにおいて、素体２の長手方向で交互に位置している。したがって、積層コンデンサＣ５では、更なる低ＥＳＬ化が図られる。
【０１５５】
積層コンデンサＣ５は、図４１に示されるように、積層コンデンサＣ４と同様に、基板３０に埋め込まれて実装される。すなわち、積層コンデンサＣ５は、基板３０に内蔵される。図４１は、本実施形態の変形例に係る積層コンデンサの実装構造を説明するための図である。
【０１５６】
積層コンデンサＣ５は、基板３０に形成された収容部３０ａに配置されており、収容部３０ａに充填された樹脂３２により、基板３０に対して固定されている。これにより、積層コンデンサＣ５が、基板３０内に埋め込まれる。積層コンデンサＣ５は、基板３０の表面に配置された電極３３〜３６と、ビア導体４３〜４６を通して、電気的に接続されている。
【０１５７】
次に、図４２及び図４３を参照して、積層コンデンサＣ５の変形例の構成を説明する。図４２は、本変形例に係る積層コンデンサを示す斜視図である。図４３は、図４２におけるXXXXIII−XXXXIII線に沿った断面構成を説明するための図である。第一及び第四端子電極３，６を含む断面構成は図３０に示された断面構成と同様であり、第二及び第三端子電極４，５を含む断面構成は図３６に示された断面構成と同様であるため、それぞれの断面構成の図示を省略する。
【０１５８】
本変形例では、第一及び第二端子電極３，４の電極部分３ａ，４ａが第一主面２ａに配置され、第三及び第四端子電極５，６の電極部分５ａ，６ａが第二主面２ｂに配置されている。電極部分３ａ，４ａとは、第一主面２ａにおいて、第三側面２ｅから第四側面２ｆに向かう方向で、電極部分４ａ、電極部分３ａ、電極部分４ａ、電極部分３ａの順で位置している。電極部分５ａ，６ａとは、第二主面２ｂにおいて、第三側面２ｅから第四側面２ｆに向かう方向で、電極部分５ａ、電極部分６ａ、電極部分５ａ、電極部分６ａの順で位置している。
【０１５９】
以上、本発明の好適な実施形態について説明してきたが、本発明は必ずしも上述した実施形態に限定されるものではなく、その要旨を逸脱しない範囲で様々な変更が可能である。
【０１６０】
内部電極１１，１３の数及び形状は、上述した実施形態及び変形例における数及び形状に限られない。たとえば、内部電極１１，１３の数は、それぞれ一つであってもよい。
【０１６１】
内部導体２１，２３の数及び形状は、上述した実施形態及び変形例における数及び形状に限られない。たとえば、内部導体２１，２３の数は、それぞれ一つであってもよい。内部導体２１，２３は、主電極部２１ａ，２３ａを有することなく、引出部２１ｂ〜２１ｄ，２３ｂ〜２３ｄ同士が接続された形状を呈していてもよい。内部導体２１と内部導体２３とは、素体２の高さ方向において同じ位置（層）に配置されていてもよい。
【０１６２】
積層コンデンサＣ１〜Ｃ５は、図４４の（ａ）及び（ｂ）並びに図４５の（ａ）〜（ｄ）に示されるように、引出部２１ｂ，２１ｃを有する内部導体２１と、引出部２１ｃ，２１ｄを有する内部導体２１と、を備えていてもよい。積層コンデンサＣ１〜Ｃ５は、図４４の（ｃ）及び（ｄ）並びに図４５の（ｅ）〜（ｈ）に示されるように、引出部２３ｂ，２３ｃを有する内部導体２３と、引出部２３ｃ，２３ｄを有する内部導体２３と、を備えていてもよい。
【０１６３】
引出部２１ｂを有する内部導体２１は、引出部２１ｄを有しておらず、第一端子電極３に接続され、第三端子電極５には接続されない。引出部２１ｄを有する内部導体２１は、引出部２１ｂを有しておらず、第三端子電極５に接続され、第一端子電極３には接続されない。引出部２３ｂを有する内部導体２３は、引出部２３ｄを有しておらず、第二端子電極４に接続され、第四端子電極６には接続されない。引出部２３ｄを有する内部導体２３は、引出部２３ｂを有しておらず、第四端子電極６に接続され、第二端子電極４には接続されない。
【０１６４】
引出部２１ｂを有する内部導体２１と、引出部２３ｂを有する内部導体２３と、が、素体２の高さ方向で隣り合って位置し、互いに対向している。引出部２１ｄを有する内部導体２１と、引出部２３ｄを有する内部導体２３と、が、素体２の高さ方向で隣り合って位置し、互いに対向している。たとえば、図４４に示された内部導体２１，２３は、図４６にも示されるように、各ＥＳＲ制御部において、素体２の高さ方向で、（ａ）に示された内部導体２１、（ｃ）に示された内部導体２３、（ｂ）に示された内部導体２１、（ｄ）に示された内部導体２３の順に素体２内に配置されている。図４５に示された内部導体２１，２３は、図４７に示されるように、一方のＥＳＲ制御部において、一方の素体２の高さ方向で、（ａ）に示された内部導体２１、（ｇ）に示された内部導体２３、（ｃ）に示された内部導体２１、（ｅ）に示された内部導体２３の順に素体２内に配置されている。また、図４５に示された内部導体２１，２３は、図４７に示されるように、他方のＥＳＲ制御部において、（ｄ）に示された内部導体２１、（ｆ）に示された内部導体２３、（ｂ）に示された内部導体２１、（ｈ）に示された内部導体２３の順に素体２内に配置されている。図４５に示された内部導体２１，２３は、各ＥＳＲ制御部において、一方の素体２の高さ方向で、（ａ）に示された内部導体２１、（ｇ）に示された内部導体２３、（ｃ）に示された内部導体２１、（ｅ）に示された内部導体２３、（ｄ）に示された内部導体２１、（ｆ）に示された内部導体２３、（ｂ）に示された内部導体２１、（ｈ）に示された内部導体２３の順に素体２内に配置されていてもよい。
【０１６５】
図４８及び図４９に示されるように、第一及び第三端子電極３，５は、電極部分３ａ，５ａが配置された主面２ａに対向する主面２ｂに配置された電極部分３ｄ，５ｄを更に有していてもよい。第二及び第四端子電極４，６は、電極部分４ａ，６ａが配置された主面２ｂに対向する主面２ａに配置された電極部分４ｄ，６ｄを更に有していてもよい。第一及び第二外部導体７，８は、主面２ａ，２ｂにそれぞれ配置された電極部分７ａ，８ａを更に有していてもよい。
【０１６６】
電極部分３ｄ〜６ｄと電極部分３ｂ〜６ｂとは、素体２の稜線部分において接続されており、互いに電気的に接続されている。電極部分７ａ，８ａは、外部導体７，８の対応する側面２ｅ，２ｆに配置された電極部分と、素体２の稜線部分において接続されており、互いに電気的に接続されている。第一〜第四端子電極３〜６並びに第一及び第二外部導体７，８それぞれは、一対の主面２ａ，２ｂと一対の主面２ａ，２ｂを連結するように延びる一つの側面２ｃ〜２ｆ）とにわたって形成されている。第一〜第四端子電極３〜６並びに第一及び第二外部導体７，８が、電極部分３ｄ〜６ｄ，７ａ，８ａを更に有することにより、第一〜第四端子電極３〜６並びに第一及び第二外部導体７，８と素体２との接続強度が向上する。
【符号の説明】
【０１６７】
２…素体、２ａ…第一主面、２ｂ…第二主面、２ｃ…第一側面、２ｄ…第二側面、２ｅ…第三側面、２ｆ…第四側面、３…第一端子電極、３ａ〜３d…電極部分、４…第二端子電極、４ａ〜４ｄ…電極部分、５…第三端子電極、５ａ〜５ｄ…電極部分、６…第四端子電極、６ａ〜６ｄ…電極部分、７…第一外部導体、７ａ…電極部分、８…第二外部導体、８ａ…電極部分、１１…第一内部電極、１１ａ…主電極部、１１ｂ…引出部、１３…第二内部電極、１３ａ…主電極部、１３ｂ…引出部、２１…第一内部導体、２１ａ…主電極部、２１ｂ〜２１ｄ…引出部、２３…第二内部導体、２３ａ…主電極部、２３ｂ〜２３ｄ…引出部、Ｃ１〜Ｃ５…積層コンデンサ。
【図１】
2014220379.tif 000003
【図２】
2014220379.tif 000004
【図３】
2014220379.tif 000005
【図４】
2014220379.tif 000006
【図５】
2014220379.tif 000007
【図６】
2014220379.tif 000008
【図７】
2014220379.tif 000009
【図８】
2014220379.tif 000010
【図９】
2014220379.tif 000011
【図１０】
2014220379.tif 000012
【図１１】
2014220379.tif 000013
【図１２】
2014220379.tif 000014
【図１３】
2014220379.tif 000015
【図１４】
2014220379.tif 000016
【図１５】
2014220379.tif 000017
【図１６】
2014220379.tif 000018
【図１７】
2014220379.tif 000019
【図１８】
2014220379.tif 000020
【図１９】
2014220379.tif 000021
【図２０】
2014220379.tif 000022
【図２１】
2014220379.tif 000023
【図２２】
2014220379.tif 000024
【図２３】
2014220379.tif 000025
【図２４】
2014220379.tif 000026
【図２５】
2014220379.tif 000027
【図２６】
2014220379.tif 000028
【図２７】
2014220379.tif 000029
【図２８】
2014220379.tif 000030
【図２９】
2014220379.tif 000031
【図３０】
2014220379.tif 000032
【図３１】
2014220379.tif 000033
【図３２】
2014220379.tif 000034
【図３３】
2014220379.tif 000035
【図３４】
2014220379.tif 000036
【図３５】
2014220379.tif 000037
【図３６】
2014220379.tif 000038
【図３７】
2014220379.tif 000039
【図３８】
2014220379.tif 000040
【図３９】
2014220379.tif 000041
【図４０】
2014220379.tif 000042
【図４１】
2014220379.tif 000043
【図４２】
2014220379.tif 000044
【図４３】
2014220379.tif 000045
【図４４】
2014220379.tif 000046
【図４５】
2014220379.tif 000047
【図４６】
2014220379.tif 000048
【図４７】
2014220379.tif 000049
【図４８】
2014220379.tif 000050
【図４９】
2014220379.tif 000051